(57)【特許請求の範囲】
【請求項１】
第１電子機器によって通信リンクを媒介するための方法であって、前記方法は、
前記第１電子機器から第２電子機器に第１要請メッセージを転送することと、
前記第１要請メッセージに応答して、前記第２電子機器から第１応答メッセージを受信することであって、前記第１応答メッセージは、前記第２電子機器によって支援される第１代替キャリア情報を含む、ことと、
前記第１電子機器から第３電子機器に第２要請メッセージを転送することと、
前記第２要請メッセージに応答して、前記第３電子機器から第２応答メッセージを受信することであって、前記第２応答メッセージは、前記第３電子機器によって支援される第２代替キャリア情報を含む、ことと、
選択された代替キャリアを介して、前記第２電子機器及び前記第３電子機器を接続する前記通信リンクの開設を要請することであって、前記選択された代替キャリアは、前記第１代替キャリア情報及び前記第２代替キャリア情報に基づいて決定される、ことと
を含む、方法。
【請求項２】
前記第１電子機器、前記第２電子機器及び前記第３電子機器の間のメッセージの送受信は、ＮＦＣ（Ｎｅａｒ  Ｆｉｅｌｄ  Ｃｏｍｍｕｎｉｃａｔｉｏｎ）を介して行われる、請求項１に記載の方法。
【請求項３】
前記選択された代替キャリアは、前記第１電子機器によるキャリア優先順位に基づいて自動的に決定され、または、ユーザインタフェースを介してユーザ選択によって決定される、請求項１に記載の方法。
【請求項４】
前記第１要請メッセージ及び前記第２要請メッセージが、それぞれ、前記第１代替キャリア情報及び前記第２代替キャリア情報を含んでいない場合、前記第１要請メッセージ及び前記第２要請メッセージは、それぞれ、前記第１代替キャリア情報及び前記第２代替キャリア情報を要請するための識別情報を含む、請求項１に記載の方法。
【請求項５】
前記第１要請メッセージ及び前記第２要請メッセージの各々は、少なくともバージョン情報及び代替キャリア情報を含む、請求項１に記載の方法。
【請求項６】
前記代替キャリア情報は、キャリア電力状態情報、補助データ参照情報及び補助データ参照カウント情報のうちの少なくとも一つを含む、請求項５に記載の方法。
【請求項７】
前記キャリア電力状態情報は、アクティブ状態情報、非アクティブ状態情報、アクティブ中の状態情報及び分からない状態情報のうちの一つを示す、請求項６に記載の方法。
【請求項８】
通信リンクを媒介するための電子機器であって、前記電子機器は、
通信部と、
制御部と
を備え、
前記通信部は、
第１電子機器に第１要請メッセージを転送することと、
前記第１要請メッセージに応答して、前記第１電子機器から第１応答メッセージを受信することであって、前記第１応答メッセージは、前記第１電子機器によって支援される第１代替キャリア情報を含む、ことと、
第２電子機器に第２要請メッセージを転送することと、
前記第２要請メッセージに応答して、前記第２電子機器から第２応答メッセージを受信することであって、前記第２応答メッセージは、前記第２電子機器によって支援される第２代替キャリア情報を含む、ことと
を行うように構成され、
前記制御部は、選択された代替キャリアを介して、前記第１電子機器及び前記第２電子機器を接続する前記通信リンクの開設を要請するように構成され、前記選択された代替キャリアは、前記第１代替キャリア情報及び前記第２代替キャリア情報に基づいて決定される、電子機器。
【請求項９】
前記通信部は、ＮＦＣモジュール及び代替通信モジュールのうちの少なくとも一つを含む、請求項８に記載の電子機器。
【請求項１０】
前記選択された代替キャリアは、前記第１電子機器によるキャリア優先順位に基づいて自動的に決定され、または、ユーザインタフェースを介してユーザ選択によって決定される、請求項８に記載の電子機器。
【請求項１１】
前記第１要請メッセージ及び前記第２要請メッセージが、それぞれ、前記第１代替キャリア情報及び前記第２代替キャリア情報を含んでいない場合、前記第１要請メッセージ及び前記第２要請メッセージは、それぞれ、前記第１代替キャリア情報及び前記第２代替キャリア情報を要請するための識別情報を含む、請求項８に記載の電子機器。
【請求項１２】
前記第１要請メッセージ及び前記第２要請メッセージの各々は、少なくともバージョン情報及び代替キャリア情報を含む、請求項８に記載の電子機器。
【請求項１３】
前記代替キャリア情報は、キャリア電力状態情報、補助データ参照情報及び補助データ参照カウント情報のうちの少なくとも一つを含む、請求項１２に記載の電子機器。
【請求項１４】
前記キャリア電力状態情報は、アクティブ状態情報、非アクティブ状態情報、アクティブ中の状態情報及び分からない状態情報のうちの一つを示す、請求項１３に記載の電子機器。
【発明の詳細な説明】
【技術分野】
【０００１】
本発明は、電子機器間のコネクションを形成する方法に関する。さらに具体的には、電子機器間のコネクションを形成するために近距離通信手段を利用する方法に関する。
【背景技術】
【０００２】
近距離無線通信（ＮＦＣ；Ｎｅａｒ  Ｆｉｅｌｄ  Ｃｏｍｍｕｎｉｃａｔｉｏｎ、以下、ＮＦＣ）は、ＲＦＩＤ（ｒａｄｉｏ  ｆｒｅｑｕｅｎｃｙ  ｉｄｅｎｔｉｆｉｃａｔｉｏｎ）に関連した超短距離非接触式データ転送技術（ｖｅｒｙ  ｓｈｏｒｔ−ｒａｎｇｅ  ｃｏｎｔａｃｔｌｅｓｓ  ｄａｔａ  ｔｒａｎｓｆｅｒ  ｔｅｃｈｎｏｌｏｇｙ）であって、１０ｃｍ以内（好ましくは、４ｃｍ以内）の距離に位置した装置との通信に使用されることができる。
【０００３】
近距離無線通信は、１３．５６ＭＨｚの中心周波数を使用し、１０６、２１２、４２４ｋｂｐｓの転送速度を提供することができる。近距離無線通信は、多様な非接触通信プロトコルと互換性を有することができる。例えば、ＮＦＣは、ＩＳＯ  １４４４３  ｔｙｐｅ  Ａ，Ｂ，Ｆ、ＩＳＯ  １８０９２において定義するプロトコルと互換性を有することができる。
【０００４】
近距離無線通信は、多様な分野、例えば、ホームネットワーク具現、スマートポスター、バスチケッティング等につなぎ合わせられることができる。
【０００５】
ＮＦＣ技術を採択した電子機器は、例えば、リーダ（ｒｅａｄｅｒ）モード、カードエミュレーションモード（ｃａｒｄ  ｅｍｕｌａｔｉｏｎ  ｍｏｄｅ）、ピアツーピア（ｐｅｅｒ  ｔｏ  ｐｅｅｒ）モードのうち、少なくとも一つを介してＮＦＣ技術を採択している他の電子機器と通信できる。
【発明の概要】
【発明が解決しようとする課題】
【０００６】
本発明の技術的課題は、近距離通信リンクを利用して二つ以上の電子機器間のコネクションを形成するための方法を提供することである。
【０００７】
本発明が達成しようとする技術的課題は、言及した技術的課題に制限されない。また、本発明が達成しようとする他の技術的課題は、下記の記載から本発明が属する技術分野における通常の知識を有した者にとって明確に理解されるはずである。
【課題を解決するための手段】
【０００８】
本発明の一様相による第１電子機器による通信リンクの媒介方法は、前記第１電子機器から第２電子機器に第１要請メッセージを転送するステップと、前記第１要請メッセージに対する応答として、前記第２電子機器から、前記第２電子機器により支援される第１代替通信手段に関連した情報を含む第１応答メッセージを受信するステップと、前記第１電子機器から第３電子機器に第２要請メッセージを転送するステップと、前記第２要請メッセージに対する応答として、前記第３電子機器から、前記第３電子機器により支援される第２代替通信手段に関連した情報を含む第２応答メッセージを受信するステップと、前記第１代替通信手段に関連した情報及び前記第２代替通信手段に関連した情報に基づいて選択された一つの代替通信手段を介して、前記第２電子機器及び前記第３電子機器の間に通信リンクの開設を要請するステップとを含むことができる。
【０００９】
本発明の他の様相による第１電子機器による通信リンクの媒介方法は、第２電子機器から、前記第２電子機器により支援される第１代替通信手段に関連した情報を含むメッセージを受信するステップと、前記第１電子機器から第３電子機器に第１要請メッセージを転送するステップと、前記第１要請メッセージに対する応答として、前記第３電子機器から、前記第３電子機器により支援される第２代替通信手段に関連した情報を含む第１応答メッセージを受信するステップと、前記第１代替通信手段に関連した情報及び前記第２代替通信手段に関連した情報に基づいて選択された一つの代替通信手段によって、前記第２電子機器及び前記第３電子機器の間に通信リンクの開設を要請するステップとを含むことができる。
本願明細書は、例えば、以下の項目も提供する。
（項目１）
第１電子機器による通信リンクの媒介方法であって、
前記第１電子機器から第２電子機器に第１要請メッセージを転送するステップと、
前記第１要請メッセージに対する応答として、前記第２電子機器から、前記第２電子機器により支援される第１代替通信手段に関連した情報を含む第１応答メッセージを受信するステップと、
前記第１電子機器から第３電子機器に第２要請メッセージを転送するステップと、
前記第２要請メッセージに対する応答として、前記第３電子機器から、前記第３電子機器により支援される第２代替通信手段に関連した情報を含む第２応答メッセージを受信するステップと、
前記第１代替通信手段に関連した情報及び前記第２代替通信手段に関連した情報に基づいて選択された一つの代替通信手段を介して、前記第２電子機器及び前記第３電子機器の間に通信リンクの開設を要請するステップと
を含む通信リンクの媒介方法。
（項目２）
前記第１電子機器、前記第２電子機器及び前記第３電子機器の間のメッセージの送受信は、ＮＦＣ通信（Ｎｅａｒ  Ｆｉｅｌｄ  Ｃｏｍｍｕｎｉｃａｔｉｏｎ）によって行われる項目１に記載の通信リンクの媒介方法。
（項目３）
前記第１代替通信手段に関連した情報及び前記第２代替通信手段に関連した情報は、少なくとも代替通信手段の名称及び設定情報を含む項目１に記載の通信リンクの媒介方法。
（項目４）
前記第１要請メッセージ及び前記第２要請メッセージが、前記第２電子機器及び第３電子機器により支援される代替通信手段に関連した情報を含んでいない場合、前記第１要請メッセージ及び前記第２要請メッセージには、前記第１代替通信手段に関連した情報及び前記第２代替通信手段に関連した情報を要請することを表すための識別情報が含まれている項目１に記載の通信リンクの媒介方法。
（項目５）
前記第１要請メッセージ及び前記第２要請メッセージには、前記第２電子機器及び第３電子機器により支援される代替通信手段に関連した情報が含まれている項目１に記載の通信リンクの媒介方法。
（項目６）
前記第１代替通信手段に関連した情報及び前記第２代替通信手段に関連した情報に基づいて選択された一つの代替通信手段は、前記第１電子機器、前記第２電子機器及び前記第３電子機器のうち、少なくとも一つにより選択されたことである項目１に記載の通信リンクの媒介方法。
（項目７）
前記第１応答メッセージ及び前記第２応答メッセージには、前記第２電子機器及び第３電子機器が支援する代替通信手段の電力（ｐｏｗｅｒ）状態に関する情報が含まれている項目１に記載の通信リンクの媒介方法。
（項目８）
第１電子機器による通信リンクの媒介方法であって、
第２電子機器から、前記第２電子機器により支援される第１代替通信手段に関連した情報を含むメッセージを受信するステップと、
前記第１電子機器から第３電子機器に第１要請メッセージを転送するステップと、
前記第１要請メッセージに対する応答として、前記第３電子機器から、前記第３電子機器により支援される第２代替通信手段に関連した情報を含む第１応答メッセージを受信するステップと、
前記第１代替通信手段に関連した情報及び前記第２代替通信手段に関連した情報に基づいて選択された一つの代替通信手段によって、前記第２電子機器及び前記第３電子機器の間に通信リンクの開設を要請するステップと
を含む通信リンクの媒介方法。
（項目９）
前記第２電子機器または前記第３電子機器は、タグ（ｔａｇ）で、前記タグ（ｔａｇ）は、前記第１代替通信手段に関連した情報または前記第２代替通信手段に関連した情報を予め格納している項目８に記載の通信リンクの媒介方法。
（項目１０）
通信リンクの媒介のための電子機器であって、
第１電子機器に第１要請メッセージを転送し、
前記第１要請メッセージに対する応答として、前記第１電子機器から、前記第１電子機器により支援される第１代替通信手段に関連した情報を含む第１応答メッセージを受信し、
第２電子機器に第２要請メッセージを転送し、
前記第２要請メッセージに対する応答として、前記第２電子機器から、前記第２電子機器により支援される第２代替通信手段に関連した情報を含む第２応答メッセージを受信する通信部と、
前記第１代替通信手段に関連した情報及び前記第２代替通信手段に関連した情報に基づいて選択された一つの代替通信手段によって、前記第１電子機器及び前記第２電子機器の間に通信リンクの開始を要請する制御部と
を備える電子機器。
（項目１１）
前記通信部は、少なくともＮＦＣ通信（Ｎｅａｒ  Ｆｉｅｌｄ  Ｃｏｍｍｕｎｉｃａｔｉｏｎ）モジュール及び代替通信モジュールを備える項目１０に記載の電子機器。
（項目１２）
前記第１代替通信手段に関連した情報及び前記第２代替通信手段に関連した情報は、少なくとも代替通信手段の名称及び設定情報を含む項目１０に記載の電子機器。
（項目１３）
前記第１要請メッセージ及び前記第２要請メッセージに前記第１電子機器及び前記第２電子機器により支援される代替通信手段に関連した情報が含まれていない場合、前記第１要請メッセージ及び前記第２要請メッセージには、前記第１代替通信手段に関連した情報及び前記第２代替通信手段に関連した情報を要請することを表すための識別情報が含まれている項目１０に記載の電子機器。
（項目１４）
前記第１要請メッセージ及び前記第２要請メッセージには、前記第１電子機器及び前記第２電子機器により支援される代替通信手段に関連した情報が含まれている項目１０に記載の電子機器。
（項目１５）
前記第１代替通信手段に関連した情報及び前記第２代替通信手段に関連した情報に基づいて選択された一つの代替通信手段は、前記電子機器、前記第１電子機器及び前記第２電子機器のうち、少なくとも一つにより選択されたことである項目１０に記載の電子機器。
（項目１６）
前記第１応答メッセージ及び前記第２応答メッセージには、前記第１電子機器及び第２電子機器が支援する代替通信手段の電力（ｐｏｗｅｒ）状態に関する情報が含まれている項目１０に記載の電子機器。
（項目１７）
通信リンクの媒介のための電子機器であって、
第１電子機器から、前記第１電子機器により支援される第１代替通信手段に関連した情報を含むメッセージを受信し、第２電子機器に第１要請メッセージを転送し、前記第１要請メッセージに対する応答として、前記第２電子機器から、前記第２電子機器により支援される第２代替通信手段に関連した情報を含む第１応答メッセージを受信する通信部と、
前記第１代替通信手段に関連した情報及び前記第２代替通信手段に関連した情報に基づいて選択された一つの代替通信手段によって、前記第１電子機器及び前記第２電子機器の間に通信リンクの開始を要請する制御部と、
を備える電子機器。
（項目１８）
前記第１電子機器または第２電子機器は、タグ（ｔａｇ）で、前記タグ（ｔａｇ）は、前記第１代替通信手段に関連した情報または前記第２代替通信手段に関連した情報を予め格納している項目１０に記載の電子機器。
【発明の効果】
【００１０】
本発明によれば、二つ以上の電子機器は、ＮＦＣ通信範囲の外部でも、代替通信手段により通信を行うことができる。
【００１１】
また、本発明によれば、ハンドオーバを実行しようとする二つ以上の電子機器が移動性が低い場合にも、移動性の高い電子機器を媒介として移動性が低い二つ以上の電子機器の間でも、代替通信手段により容易にコネクションを開設できる。
【図面の簡単な説明】
【００１２】
【図１】図１は、本発明のいくつかの実施の形態と関連した電子機器のブロック構成図（ｂｌｏｃｋ  ｄｉａｇｒａｍ）である。
【図２】図２は、本発明の第１の実施の形態にかかるハンドオーバを説明するための図である。
【図３】図３は、本発明の第２の実施の形態にかかるハンドオーバを説明するための図である。
【図４】図４は、本発明の第３の実施の形態に係るハンドオーバを説明するための図である。
【図５】図５は、本発明の第４の実施の形態に係るハンドオーバを説明するための図である。
【図６】図６は、本発明の第５の実施の形態に係るハンドオーバを説明するための図である。
【図７】図７は、本発明の他の実施の形態に係るハンドオーバ媒介プロトコルが必要な環境を説明するための図である。
【図８】図８は、本発明の他の実施の形態に係るコネクションハンドオーバ媒介（ｍｅｄｉａｔｉｏｎ）を説明するための概略図を示す。
【図９】図９は、本発明の第１の実施の形態にかかるハンドオーバ媒介プロトコルを説明するための図である。
【図１０】図１０は、本発明のハンドオーバ媒介プロトコルに使用される案内メッセージを説明するための図である。
【図１１】図１１は、本発明の第２の実施の形態にかかるハンドオーバ媒介プロトコルを説明するための図である。
【図１２】図１２ないし１３は、本発明の第３の実施の形態に係るハンドオーバ媒介プロトコルを説明するための図である。
【図１３】図１２ないし１３は、本発明の第３の実施の形態に係るハンドオーバ媒介プロトコルを説明するための図である。
【図１４】図１４は、本発明の第４の実施の形態に係るハンドオーバ媒介プロトコルを説明するための図である。
【図１５】図１５は、本発明の第５の実施の形態に係るハンドオーバ媒介プロトコルを説明するための図である。
【図１６】図１６は、本発明の第６の実施の形態に係るハンドオーバ媒介プロトコルを説明するための図である。
【図１７】図１７は、本発明の第７の実施の形態に係るハンドオーバ媒介プロトコルを説明するための図である。
【図１８】図１８は、本発明の第８の実施の形態に係るハンドオーバ媒介プロトコルを説明するための図である。
【図１９】図１９ないし図２３は、本発明の第９の実施の形態に係るハンドオーバ媒介プロトコルを説明するための図である。
【図２０】図１９ないし図２３は、本発明の第９の実施の形態に係るハンドオーバ媒介プロトコルを説明するための図である。
【図２１】図１９ないし図２３は、本発明の第９の実施の形態に係るハンドオーバ媒介プロトコルを説明するための図である。
【図２２】図１９ないし図２３は、本発明の第９の実施の形態に係るハンドオーバ媒介プロトコルを説明するための図である。
【図２３】図１９ないし図２３は、本発明の第９の実施の形態に係るハンドオーバ媒介プロトコルを説明するための図である。
【図２４】図２４は、本発明の第１０の実施の形態に係るハンドオーバ媒介プロトコルを説明するための図である。
【図２５】図２５は、本発明の第１１の実施の形態に係るハンドオーバ媒介プロトコルを説明するための図である。
【図２６】図２６は、本発明の第１２の実施の形態に係るハンドオーバ媒介プロトコルを説明するための図である。
【図２７】図２７ないし図２８は、本発明の第１３の実施の形態に係るハンドオーバ媒介プロトコルを説明するための図である。
【図２８】図２７ないし図２８は、本発明の第１３の実施の形態に係るハンドオーバ媒介プロトコルを説明するための図である。
【図２９】図２９は、本発明の実施の形態にかかるハンドオーバプロトコル及びハンドオーバ媒介プロトコルメッセージの一般的な構造を示すための図である。
【図３０】図３０ないし図３２は、本発明の実施の形態にかかるハンドオーバ要請メッセージの一例を示す。
【図３１】図３０ないし図３２は、本発明の実施の形態にかかるハンドオーバ要請メッセージの一例を示す。
【図３２】図３０ないし図３２は、本発明の実施の形態にかかるハンドオーバ要請メッセージの一例を示す。
【図３３】図３３は、本発明の一実施の形態にかかるハンドオーバ選択メッセージの一例を示す。
【図３４】図３４は、本発明の一実施の形態にかかるハンドオーバ要請レコードの一例を示す。
【図３５】図３５は、本発明の実施の形態にかかるハンドオーバ選択レコードの一例を示す。
【図３６】図３６は、本発明の一実施の形態にかかるハンドオーバ通信手段レコードの一例を示す。
【図３７】図３７は、本発明の一実施の形態にかかる代替通信手段レコードの一例を示す。
【発明を実施するための形態】
【００１３】
本発明の上述した目的、特徴及び利点は、添付された図面と関連した次の詳細な説明によりさらに明らかになるはずである。ただし、本発明は、多様な変更が可能であり、様々な実施の形態を有することができ、以下、特定実施の形態を図面に例示し、これを詳細に説明しようとする。明細書全体にわたって同一の参照番号は原則的に同じ構成要素を示す。
【００１４】
また、本発明と関連した公知機能又は構成に対する具体的な説明が本発明の要旨を不明にすると判断される場合には、その詳細な説明を省略する。また、本明細書の説明過程で利用される数字（例えば、第１、第２など）は、一つの構成要素を他の構成要素と区分するための識別記号に過ぎない。
【００１５】
以下、本発明と関連した電子機器に対して図面を参照してさらに詳細に説明する。以下の説明で使用される構成要素に対する接尾辞「モジュール」及び「部」は、明細書作成の容易さだけが考慮されて付与または混用されるものであって、その自体で互いに区別される意味または役割を有するものではない。
【００１６】
図１は、本発明の一実施の形態にかかるシステム環境を示す。
【００１７】
本発明の一実施の形態にかかるシステム環境は、ＮＦＣリンクを形成できる一つ以上のＮＦＣ（ｎｅａｒ  ｆｉｅｌｄ  ｃｏｍｍｕｎｉｃａｔｉｏｎ）電子機器から構成されることができる。
【００１８】
図１に示すように、本発明の一実施の形態にかかるシステム環境は、一つ以上の電子機器１００、２００、３００から構成されることができる。これは、必須な構成ではないので、これより少ないか、または多くの構成を備えることができる。本文書で言及する電子機器１００、２００、３００は、ＮＦＣ通信を支援する任意の電子機器を意味するものであって、例えば、電子機器は、ＮＦＣ通信を支援するモバイルデータ処理装置（例；携帯電話、スマートフォン、ｅ−ｂｏｏｋ）、プリンタ、ＴＶ、ＤＴＶ、コンピュータ、タブレット、オーディオ装置など各種の電子機器を備えることができる。これは、電子機器１００、２００、３００の一例に過ぎないので、より多様な類型の機器を備えることができる。以下、電子機器は、ＮＦＣ電子機器と呼ばれることができる。
【００１９】
前記電子機器１００は、図１に示すように、ホスト１１０、ＮＦＣ通信モジュール１２０、一つ以上の代替通信通信手段モジュール（ａｌｔｅｒｎａｔｉｖｅ  ｃｏｍｍｕｎｉｃａｔｉｏｎ  ｃａｒｒｉｅｒ）を備えることができる。
【００２０】
前記ホスト１１０は、前記電子機器１００内の構成要素を制御するプロセッサ（ｐｒｏｃｅｓｓｏｒ）の機能を提供できる。例えば、前記ホスト１１０は、図１に示すＮＦＣ通信モジュール１２０、一つ以上の代替通信通信手段を制御するための各種の信号を出力及び／または受け取ることができる。以下、前記ホスト１１０は、プロセッサ１１０または制御部と呼ばれることができる。
【００２１】
前記ＮＦＣ通信モジュール１２０は、前記電子機器１００がＮＦＣ通信を支援する他の電子機器２００、３００とＮＦＣリンク（ＮＦＣ  ｌｉｎｋ）を形成できるようにする。前記ＮＦＣ通信モジュール１２０は、ＮＦＣフォーラムデバイス（ＮＦＣ  Ｆｏｒｕｍ  ｄｅｖｉｃｅ）を言える。本文書においてＮＦＣ通信モジュールは、近距離通信手段と呼ばれることができる。
【００２２】
前記ＮＦＣ通信モジュール１２０は、図１に示すように、ＮＦＣ通信範囲（ＮＦＣ  ｃｏｍｍｕｎｉｃａｔｉｏｎ  ｒａｎｇｅ）内で他の電子機器のＮＦＣ通信モジュールとタギング（ｔａｇｇｉｎｇ）を介してＮＦＣリンクを形成できる。
【００２３】
前記ＮＦＣ通信モジュール１２０は、前記他の電子機器２００、３００のＮＦＣ通信モジュールと多様なモードで通信できる。例えば、前記多様なモードは、カードエミュレーション（ｃａｒｄ  ｅｍｕｌａｔｉｏｎ）モード、リーダモード、ピアツーピアモードを含むことができる。
【００２４】
前記ＮＦＣ通信モジュール１２０が前記カードエミュレーションモードで動作する場合に、前記電子機器１００の前記ＮＦＣ通信モジュール１２０は、カード、換言すればタグ（ｔａｇ）として機能できる。この場合、前記他の電子機器のＮＦＣ通信モジュールは、リーダモードで動作して、前記電子機器１００のＮＦＣ通信モジュール１２０からデータを獲得できる。
【００２５】
前記ＮＦＣ通信モジュール１２０が前記リーダモードで動作する場合に、前記電子機器１００の前記ＮＦＣ通信モジュール１２０はリーダとして機能できる。この場合、前記電子機器１００の前記ＮＦＣ通信モジュール１２０は、エミュレーションモードで動作する他の電子機器のＮＦＣ通信モジュールからデータを獲得できる。
【００２６】
前記ＮＦＣ通信モジュール１２０が前記ピアツーピアモードで動作する場合に、前記電子機器１００のＮＦＣ通信モジュール１２０と他の電子機器のＮＦＣ通信モジュールは、互いにデータを交換（ｅｘｃｈａｎｇｅ）できる。
【００２７】
前記ＮＦＣ通信モジュール１２０のモードは、予め決まった基準によって決まることができる。例えば、前記ＮＦＣ通信モジュール１２０のモードは、ユーザの入力、または予め決まったアルゴリズム（ａｌｇｏｒｉｔｈｍ）に従ってセット（ｓｅｔｔｉｎｇ）されることができる。
【００２８】
前記代替通信通信手段は、電子機器間にデータ転送のために使用されることができる通信技術を意味することで、前記代替通信通信手段は、ＮＦＣ通信通信手段外の各種の通信モジュールを備えることができる。例えば、前記代替通信通信手段は、図１に示すように、Ｂｌｕｅｔｏｏｔｈ（登録商標）（８０２．１５．１  ＩＥＥＥ）通信モジュール１３２、Ｗｉ−Ｆｉ（Ｗｉｒｅｌｅｓｓ  Ｆｉｄｅｌｉｔｙ）通信モジュール１３４のうち、少なくとも一つを備えることができる。この他にも、前記代替通信通信手段は、ＲＦＩＤ（ｒａｄｉｏ  ｆｒｅｑｕｅｎｃｙ  ｉｄｅｎｔｉｆｉｃａｔｉｏｎ）、ＷｉＧｉｇ（Ｗｉｒｅｌｅｓｓ  Ｇｉｇａｂｉｔ）通信モジュールなど多様な通信手段を備えることができ、現在はもちろん、将来に具現化される通信手段も備えることができる。以下、前記代替通信通信手段は、代替通信手段または代替通信手段と呼ばれることができる。
【００２９】
前記電子機器１００は、ユーザから受け取るための入力部１４０を備えることができる。例えば、前記入力部１４０は、キーボード、マウス、タッチスクリーンのうち、少なくとも一つでありうる。
【００３０】
また、前記電子機器１００は、ユーザに情報を出力するための出力部１５０を備えることができる。前記出力部１５０は、音響信号を出力するための音響出力部とディスプレイのためのディスプレイ部のうち、少なくとも一つを備えることができる。
【００３１】
また、前記電子機器１００は、各種のデータを格納するためのメモリ１６０を備えることができる。
【００３２】
前記電子機器２００、３００は、前記電子機器１００と相応する構成を備えることができる。すなわち、前記電子機器２００、３００は、ホスト、ＮＦＣ通信モジュール、代替通信通信手段を備えることができる。また、前記電子機器２００、３００は、前記説明した入力部１４０、出力部１５０、メモリ部１６０のうち、少なくとも一つをさらに備えることができる。前記電子機器２００、３００の内部構成については、図２ないし図５に示すことにする。
【００３３】
説明の便宜のために、必要に応じて前記電子機器１００は、第１電子機器１００と呼び、前記電子機器２００は、第２電子機器２００と呼び、前記電子機器３００は、第３電子機器３００と呼ぶことにする。
【００３４】
前記電子機器１００は、他の電子機器と前記ＮＦＣ通信モジュール１２０を介してＮＦＣリンクを形成した後に代替通信通信手段に通信モジュールを変更して、前記他の電子機器とデータ通信を行い続けることができる。本文書では、ＮＦＣリンクを形成した以後、前記電子機器及び前記他の電子機器が代替通信通信手段を利用して通信を行い続けることができるように、前記電子機器及び前記他の電子機器が前記代替通信通信手段を利用してリンクするようする一連の過程をハンドオーバ（ｈａｎｄｏｖｅｒ）と呼ぶことにする。
【００３５】
換言すれば、前記ハンドオーバは、前記電子機器１００と前記他の電子機器がＮＦＣリンクを形成し、以後代替通信通信手段でリンクを形成してデータ通信を行うことであって、ユーザは、電子機器１００と他の電子機器をＮＦＣタギング（ｔａｇｇｉｎｇ）により容易にＮＦＣリンクを形成した以後、ＮＦＣリンクより遠距離及び／または高容量のデータ転送に適した代替通信通信手段に通信手段を変更できる。
【００３６】
以下、図面を参照して、本発明の一実施の形態にかかるハンドオーバをさらに具体的に説明する。説明の便宜のために、図１に示すシステム環境を参照するようにする。ただし、これは、説明の便宜のためのものであり、本発明の技術的思想が特定環境や特定機器に制限されるものではない。
【００３７】
図２は、本発明の第１の実施の形態にかかるハンドオーバを説明するための図である。
【００３８】
図２を参照すれば、前記第１電子機器１００は、前記第２電子機器２００にハンドオーバ要請メッセージ（ｈａｎｄｏｖｅｒ  ｒｅｑｕｅｓｔ  ｍｅｓｓａｇｅ）を転送できる［Ｓ１１０］。
【００３９】
前記ステップＳ１１０に先立って、ＮＦＣ通信範囲内に位置する前記第１電子機器１００と前記第２電子機器２００とは、タギングによりＮＦＣリンクを形成できる。
【００４０】
前記第１電子機器１００は、ＮＦＣリンクが形成された状態でＮＦＣリンクにより前記第２電子機器２００にハンドオーバ要請のためのメッセージ、例えば、ハンドオーバ要請メッセージを転送できる。
【００４１】
前記第１電子機器１００は、前記ハンドオーバ要請メッセージを前記第２電子機器２００に転送することによって、前記第１電子機器１００と前記第２電子機器２００とは、現在前記第１電子機器１００と前記第２電子機器２００との間に形成されたＮＦＣリンクを他の通信手段に変更するためのプロトコル（ｐｒｏｔｏｃｏｌ）を開始できる。
【００４２】
前記ハンドオーバ要請メッセージが含む具体的な情報については後述する。
【００４３】
ここで、前記第１電子機器１００は、ハンドオーバ要請者（ｈａｎｄｏｖｅｒ  ｒｅｑｕｅｓｔｅｒ）の地位を有し、前記第２電子機器２００は、ハンドオーバ選択者（ｈａｎｄｏｖｅｒ  ｓｅｌｅｃｔｏｒ）の地位を有することができる。前記ハンドオーバ要請者は、他のＮＦＣ電子機器にハンドオーバ要請メッセージを転送することによって、ハンドオーバプロトコルを開始する機器のことを意味し、前記ハンドオーバ選択者は、受信したハンドオーバ要請メッセージに対する応答としてハンドオーバ選択メッセージを構成して応答するＮＦＣ機器のことを意味する。すなわち、ハンドオーバ要請者（ｉ．ｅ．ハンドオーバ要請機器）とハンドオーバ選択者（ｉ．ｅ．ハンドオーバ選択機器）は、ハンドオーバ要請メッセージを転送するか、又はハンドオーバ選択メッセージを転送するかによって決まる相対的な概念である。したがって、状況によって、前記第２電子機器２００が前記第１電子機器１００にハンドオーバ要請メッセージで転送した場合に、前記第１電子機器１００がハンドオーバ選択者になり、前記第２電子機器２００がハンドオーバ要請者になりうることはもちろんである。
【００４４】
前記ハンドオーバ要請メッセージは、前記第１電子機器１００が支援する代替通信手段と関連した情報を含むことができる。例えば、図１に示すように、前記第１電子機器１００がブルートゥースとＷｉ−Ｆｉとを支援するので、前記ハンドオーバ要請メッセージは、前記第１電子機器１００が支援するブルートゥースとＷｉ−Ｆｉに対した情報を含むことができる。ハンドオーバ要請メッセージに含まれる具体的なデータフォーマットは後述する。
【００４５】
複数の代替通信手段には、優先順位が割り当てられることができる。例えば、図２に示すように、前記ハンドオーバ要請メッセージは、優先順位の高い代替通信手段に対する情報を前方に記載し、優先順位の低い代替通信手段に対する情報を後方に記載することができる。図２に示すハンドオーバ要請メッセージを参考すると、代替通信手段であるＷｉ−Ｆｉがブルートゥースより高い優先順位を有することが分かる。または各通信手段に対する優先順位が記載されるフィールドが別に存在することができる。
【００４６】
前記ハンドオーバ要請メッセージを受信した第２電子機器２００は、前記ハンドオーバ要請メッセージに対する応答を前記第１電子機器１００に転送できる［Ｓ１２０］。
【００４７】
例えば、前記第２電子機器２００は、ＮＦＣリンクを介して前記ハンドオーバ要請メッセージに対する応答の一例として、ハンドオーバ選択メッセージを生成し、前記生成されたハンドオーバ選択メッセージを前記第１電子機器１００に転送できる。
【００４８】
前記第２電子機器２００は、前記ハンドオーバ要請メッセージに含まれた代替通信手段の中で、前記第２電子機器２００が支援する代替通信手段がなにがあるかを判断し、前記判断によって前記第１電子機器１００に前記第２電子機器２００が支援する代替通信手段に対する情報を提供できる。すなわち、前記ハンドオーバ選択メッセージに含まれる代替通信手段は、前記第１電子機器１００が支援する代替通信手段の中で、前記第２電子機器２００が支援する代替通信手段に対する情報を含むことができる。
【００４９】
図２に示すように、前記第２電子機器２００は、代替通信手段としてＷｉ−Ｆｉは支援するが、ブルートゥースは支援しない。
【００５０】
この場合、前記ハンドオーバ選択メッセージは、代替通信手段に対する情報として、前記第２電子機器２００が支援するＷｉ−Ｆｉ通信モジュールに対する情報を含むことができる。
【００５１】
前記ハンドオーバ選択メッセージが含む具体的な情報については後述する。
【００５２】
前記第１電子機器１００は、代替通信手段を介して前記第２電子機器２００とデータ通信を行うことができる［Ｓ１３０］。
【００５３】
このために、前記第１電子機器１００は、前記第２電子機器２００から前記ハンドオーバ選択メッセージを受信することによって、前記第２電子機器２００が支援する代替通信手段に対する情報を獲得できる。例えば、前記第１電子機器１００は、獲得された前記第２電子機器２００が支援する代替通信手段がＷｉ−Ｆｉであることを確認することができる。
【００５４】
したがって、前記第１電子機器１００は、前記ハンドオーバ要請メッセージ及び前記ハンドオーバ選択メッセージの送受信によって獲得された情報に基づいて、前記第２電子機器２００と他の通信手段へのハンドオーバのための一連の過程を行うことができる。これにより、第１電子機器と第２電子機器とは、ＮＦＣリンクからＷｉ−Ｆｉリンクに転換してＷｉ−Ｆｉプロトコルに応じる通信を行い続けるようになる。
【００５５】
前記第１電子機器１００と前記第２電子機器２００との間のリンクがＮＦＣからＷｉ−Ｆｉにハンドオーバされることによって、前記第１電子機器１００と前記第２電子機器２００とがもうこれ以上図２に示すＮＦＣ通信範囲内に位置しなくてもデータ通信が可能になり、ＮＦＣリンクより速い転送速度でデータを交換できるという長所が発生するようになる。
【００５６】
換言すれば、前記第１電子機器１００がスマートフォンの場合、ユーザは、スマートフォンを前記第２電子機器２００の近くに持ってきて、前記第２電子機器２００とタッキングをすることにより、ＮＦＣリンクを形成し、ハンドオーバプロトコルを行うことによって、Ｗｉ−Ｆｉにリンク手段を変更できる。リンク手段が変更された以後に、ユーザは、スマートフォンをＮＦＣ通信範囲の外に所持して行っても、スマートフォンと前記第２電子機器２００とは、Ｗｉ−Ｆｉを介してデータ通信を行い続けるようになることである。
【００５７】
前記説明したステップＳ１１０ないしＳ１３０に従うハンドオーバプロセスを交渉ハンドオーバ（ｎｅｇｏｔｉａｔｅｄ  ｈａｎｄｏｖｅｒ）と名づけることにする。すなわち、前記交渉ハンドオーバは、二つのＮＦＣ第１電子機器１００、例えば電子機器１００、２００がデータの交換に使用される代替通信手段に対する同意のためにメッセージを交換することを意味する。
【００５８】
図３は、本発明の第２の実施の形態にかかるハンドオーバを説明するための図である。
【００５９】
図３を参考にして第２の実施の形態にかかるハンドオーバを説明するに当たって、前記図２を参考にして説明した第１の実施の形態と重複する内容については説明を省略することにする。
【００６０】
前記図３に示す第３電子機器３００は、前記図２に示す第２電子機器２００とは異なり、複数の代替通信手段、例えば、ブルートゥースとＷｉ−Ｆｉを同時に支援できる。
【００６１】
前記第１電子機器１００は、前記第３電子機器３００にハンドオーバ要請メッセージを転送できる［Ｓ２１０］。換言すれば、前記第１電子機器１００は、ハンドオーバ要請者となり、前記第３電子機器３００は、ハンドオーバ選択者となる。前記ステップＳ２１０は、前記図２を参考にして説明した前記ステップＳ１１０と同一なので、説明を省略することにする。
【００６２】
前記第３電子機器３００は、前記受信したハンドオーバ要請メッセージに対する応答として、ハンドオーバ選択メッセージを前記第１電子機器１００に転送できる［Ｓ２２０］。
【００６３】
前記第３電子機器３００が転送するハンドオーバ選択メッセージは、代替通信手段であるＷｉ−Ｆｉ及びブルートゥースに対する情報を含むことができる。また、前記ハンドオーバ選択メッセージは、図３に示すようにＷｉ−Ｆｉをブルートゥースの前に表示することによって、Ｗｉ−Ｆｉに優先順位を付与できる。
【００６４】
前記第１電子機器１００は、代替通信手段を介して前記第３電子機器３００と通信を行うことができる［Ｓ２３０］。
【００６５】
前記第１電子機器１００は、前記ステップＳ１２０にて獲得した前記ハンドオーバ選択メッセージから前記第３電子機器３００が支援する代替通信手段が複数であることを判断できる。
【００６６】
前記第１電子機器１００は、前記ハンドオーバ選択者、すなわち前記第３電子機器３００が支援する代替通信手段が複数の場合、複数の代替通信手段の中で何れか一つを選択しても良く、複数の全部を選択しても良い。また、前記第１電子機器１００が一つの代替通信手段を選択する場合に、前記第１電子機器１００は、前記第３電子機器３００が指定した代替通信手段の優先順位に従って代替通信手段を選択しても良く、前記第３電子機器３００が指定した代替通信手段の優先順位に関係なく、前記第１電子機器１００が好む代替通信手段を選択しても良い。
【００６７】
図３を参考にすれば、前記第１電子機器１００は、前記ハンドオーバ選択者である前記第３電子機器３００が付与した代替通信手段の優先順位に関係なくブルートゥースを代替通信手段として選択できる。
【００６８】
図４は、本発明の第３の実施の形態に係るハンドオーバを説明するための図である。
【００６９】
図４に示すステップＳステップ３１０は、図３を参考にして説明したステップＳ２１０と同一なので、説明を省略することにする。
【００７０】
前記第３電子機器３００は、前記第１電子機器１００にハンドオーバ選択メッセージを転送できる［Ｓ３３０］。このとき、図４に示すように、前記ハンドオーバ選択メッセージは、複数の代替通信手段であるブルートゥースとＷｉ−Ｆｉの中でブルートゥースに優先順位をおくことができる。
【００７１】
この場合、前記第１電子機器１００は、複数の代替通信手段の中でハンドオーバ選択者である前記第３電子機器３００が指定した優先順位に従って、ブルートゥースペアリングをまず試みることができる［Ｓ３３０］。
【００７２】
前記ブルートゥースペアリングは、多様な原因によって失敗できる。例えば、ハンドオーバプロトコルの進行時に前記第１電子機器１００と前記第３電子機器３００とがブルートゥース信号範囲外に位置する場合に、ブルートゥースペアリングが失敗できる。
【００７３】
一方、ハンドオーバプロトコルの進行時には、前記第１電子機器１００と前記第３電子機器３００とがブルートゥース信号範囲内に位置して、ブルートゥースにハンドオーバされ、ブルートゥースリンクを介してデータ交換する途中に、前記第１電子機器１００と前記第３電子機器１００のうち、少なくとも一つの移動のために両機器がブルートゥース信号範囲外に位置する場合に、ブルートゥースリンクが失敗できる。
【００７４】
このとき、前記第１電子機器１００は、後順位の代替通信手段であるＷｉ−Ｆｉを介して前記第３電子機器３００とデータ通信を行い続けることができる［Ｓ３４０］。
【００７５】
図５は、本発明の第４の実施の形態に係るハンドオーバを説明するための図である。
【００７６】
図５に示すステップＳ４１０は、先の図４を参照して説明した前記ステップＳ３１０と同一なので、説明を省略することにする。
【００７７】
図５に示す第３電子機器３００は、第１電子機器１００から受信したハンドオーバ要請メッセージに対する応答として、ハンドオーバ選択メッセージを前記第１電子機器１００に転送できる［Ｓ４２０］。
【００７８】
このとき、前記ハンドオーバ選択メッセージは、前記第３電子機器３００が提供する代替通信手段の電力状態情報を含むことができる。
【００７９】
例えば、前記第３電子機器３００は、前記第１電子機器１００が支援する代替通信手段の中で前記第３電子機器３００が支援する代替通信手段がある場合に、前記第３電子機器３００が支援する代替通信手段の各々の電源状態、例えば、アクティブ、非アクティブに対する情報を前記第１電子機器１００に転送できる。
【００８０】
例えば、図５に示すように、前記ハンドオーバ選択メッセージは、前記第１電子機器１００の代替通信手段であるブルートゥースとＷｉ−Ｆｉとが非アクティブになっているという情報を含むことができる。
【００８１】
前記第１電子機器１００は、前記受信したハンドオーバ選択メッセージが複数の代替通信手段に対する情報を含んでいる場合、上述したように、任意の代替通信手段を選択できる。本実施の形態では、前記第１電子機器１００がＷｉ−Ｆｉを代替通信手段に選定したと仮定することにする。
【００８２】
前記第１電子機器１００は、前記第３電子機器３００にハンドオーバ要請メッセージを再度転送する［Ｓ４３０］。このとき、ステップＳ４３０にて転送されるハンドオーバ要請メッセージは、前記受信された複数の代替通信手段の中で一つの代替通信手段を指定できる。すなわち、前記第１電子機器１００は、前記ステップＳ４３０にてＷｉ−Ｆｉを代替通信手段として指定し、Ｗｉ−Ｆｉだけを代替通信手段として指定するハンドオーバ要請メッセージを前記第３電子機器３００に転送することによって、前記第３電子機器３００のＷｉ−Ｆｉモジュールがアクティブになるようにすることができる。
【００８３】
前記第３電子機器３００は、前記ステップＳ４３０にて受信したハンドオーバ要請メッセージに従ってＷｉ−Ｆｉモジュールの電源をアクティブにし、前記ステップＳ４３０にて受信したハンドオーバ要請メッセージに対する応答メッセージを前記第１電子機器１００に転送できる［Ｓ４４０］。
【００８４】
前記第１電子機器１００は、前記第１電子機器１００とＷｉ−Ｆｉを介してデータ交換を行うことができる［Ｓ４５０］。
【００８５】
換言すれば、前記第１電子機器１００は、前記第３電子機器３００でＷｉ−Ｆｉモジュールがアクティブになった場合、前記第３電子機器３００とＷｉ−Ｆｉリンクを形成できる。すなわち、前記第１電子機器１００は、前記第３電子機器３００とのＮＦＣリンクをＷｉ−Ｆｉリンクにハンドオーバできる。
【００８６】
図５を参照して説明した実施の形態にしたがって、ハンドオーバ選択者である前記第３電子機器３００は、複数の代替通信手段の中で特定通信手段が選択されるまで、代替通信手段の電源を非アクティブさせることによって、電力を低減できるという効果を提供できる。
【００８７】
図６は、本発明の第５の実施の形態に係るハンドオーバを説明するための図である。
【００８８】
本発明の第５の実施の形態に係るハンドオーバでは、前のハンドオーバ選択機器とは異なり、ハンドオーバ選択機器が二つの別個の構成からなることができる。すなわち、第５の実施の形態では、ハンドオーバ選択機器が第４電子機器４００とＮＦＣデバイス５００とに分離されて存在できる。
【００８９】
図示のように、第４電子機器４００は、ホスト及び代替通信通信手段を備えることができる。例えば、代替通信通信手段は、Ｗｉ−Ｆｉ通信モジュールでありうる。
【００９０】
また、前記第４電子機器４００は、ＮＦＣデバイス５００を備えない。すなわち、前記第４電子機器４００は、ＮＦＣ通信機能を支援しないので、前記第１電子機器１００とＮＦＣコネクションを形成することはできない場合もある。
【００９１】
図６に示す前記ＮＦＣデバイス５００は、前記電子機器４００のＷｉ−Ｆｉに接続するための情報を含むことができる。前記ＮＦＣデバイス５００は、前記電子機器４００のＷｉ−Ｆｉに接続するために必要な情報をハンドオーバ選択メッセージとして含むことができ、前記ハンドオーバ選択メッセージは、後述するハンドオーバ選択レコード及び付加情報を含むことができる。
【００９２】
前記第１電子機器１００が前記ＮＦＣデバイス５００にタギングすることによって、前記ＮＦＣデバイス５００からハンドオーバ選択メッセージを受信することができる［Ｓ４９０］。
【００９３】
前記ハンドオーバ選択メッセージを受信した第１電子機器１００は、前記ハンドオーバ選択メッセージに基づいて、前記第４電子機器４００とＷｉ−Ｆｉコネクションを形成できる［Ｓ５００］。
【００９４】
図６を参考にして説明したハンドオーバを、上述した交渉ハンドオーバとは異なり、スタティック（ｓｔａｔｉｃ）ハンドオーバと名づけることにする。
【００９５】
以上、二つの電子機器がタギング（ｔａｇｇｉｎｇ）を介してＮＦＣリンクを容易に形成し、以後ＮＦＣリンクより遠距離及び／または高容量のデータ転送に適した代替通信通信手段で通信を行うハンドオーバプロトコルについて説明した。
【００９６】
しかしながら、ハンドオーバを実行しようとする二つの電子機器が移動性の低い電子機器である場合、二つの電子機器は、近距離通信リンクを形成するのが容易でない場合もありうる。例えば、第１電子機器１００がＮＦＣ通信モジュールを備えたＤＴＶで、第２電子機器２００は、ＮＦＣ通信モジュールを備えたコンピュータである場合、ＤＴＶとコンピュータは、体積が大きくて重さが重いから、ＮＦＣ通信リンクを形成するのが容易でない。すなわち、前記ＮＦＣリンクを形成することによって、ハンドオーバプロトコルを行うことが容易でない場合もありうる。
【００９７】
このような場合、移動性の高い電子機器を媒介として移動性の低い電子機器のコネクションを開設できる。先に例に挙げたように、第１電子機器１００がＤＴＶで、第２電子機器２００がコンピュータである場合、移動性が高い第３電子機器３００、例として、スマートフォンが前記ＤＴＶとコンピュータとのハンドオーバプロトコルを媒介できる。
【００９８】
このように、ハンドオーバプロトコルを行おうとする電子機器は、固定された位置にあり、固定された電子機器間に通信チャネルを開設できるように中間で移動性の高い電子機器がコネクションを媒介するのをハンドオーバ媒介（ｍｅｄｉａｔｉｏｎ）と名づけることにする。前記ハンドオーバ媒介は、任意的な名称であるから、ハンドオーバ仲介、ハンドオーバメディエーション、ハンドオーバリレイ、接続情報リレイ、リンクのためのマルチタギング等、多様な名称で呼ばれることができる。このような呼称は任意的なものであるから、当業者の好みによって変形されて使用されることができる。以下、説明の便宜のためにハンドオーバ媒介プロトコルと名づけることにする。
【００９９】
以下、本発明の他の実施の形態に係るハンドオーバ媒介プロトコルを、図面を参照してさらに具体的に説明する。
【０１００】
図７は、本発明の他の実施の形態に係るハンドオーバ媒介プロトコルが必要な環境を説明するための図である。
【０１０１】
図７に示すように、ＤＴＶは、ＮＦＣ及びＷｉ−Ｆｉ通信を支援し、ＰＣは、ＮＦＣ、Ｗｉ−Ｆｉ、及びブルートゥース通信を支援し、プリンタは、ＮＦＣ及びブルートゥース通信を支援すると仮定する。しかしながら、前記電子機器が支援する代替通信手段がＷｉ−Ｆｉ及びブルートゥース通信に制限されるものではない。
【０１０２】
また、ＤＴＶ、ＰＣ、プリンタは、互いにＮＦＣ通信範囲の外部に位置すると仮定する。このような場合、ユーザがＤＴＶとＰＣまたはプリンタとＰＣとの間のハンドオーバプロトコルを実行させることが容易でない場合もありうる。すなわち、ユーザは、ＤＴＶとＰＣがＮＦＣ通信範囲内に位置するように移動させるのに難しさがありうる。したがって、ＤＴＶとＰＣとの間にＮＦＣリンク形成が容易でないので、ハンドオーバプロトコルを介してＷｉ−Ｆｉ接続を開設するのが容易でなくなる。また、同じ理由でプリンタとＰＣとの間にもＮＦＣリンク形成が容易でないので、ハンドオーバプロトコルを介してブルートゥース接続を開設するのが容易でない。
【０１０３】
このような場合、ＤＴＶとＰＣとの間にＷｉ−Ｆｉ接続を開設し、プリンタとＰＣとの間にブルートゥース接続の開設に役立つことのできるハンドオーバ媒介プロトコルが使用されることができる。
【０１０４】
以下、前記説明したハンドオーバ媒介プロトコルについて具体的に説明する。
【０１０５】
図８は、本発明の他の実施の形態に係るコネクションハンドオーバ媒介（ｍｅｄｉａｔｉｏｎ）を説明するための概略図を示す。以下の説明では、効果的な説明のために、図８に示す第１電子機器１００は、スマートフォンであると仮定し、第２電子機器２００は、ＤＴＶであると仮定し、第３電子機器３００は、ＰＣであると仮定する。しかしながら、前記スマートフォン、ＤＴＶ及びＰＣは一例に過ぎず、前記第１ないし第３電子機器は、より多様な類型の機器を備えることができる。また、前記ハンドオーバ媒介は、前記第１ないし第３電子機器の他に複数の電子機器間に行われることができる。
【０１０６】
図８に示すように、第２電子機器２００と第３電子機器３００とは、互いにＮＦＣ通信リンクの外部に位置しているから、ＮＦＣ通信リンクを形成してハンドオーバプロトコルを行うのが容易でない場合もある。または、前記第２電子機器２００と前記第３電子機器３００とは、ＮＦＣ通信リンク範囲内に位置していても、移動性が低いからＮＦＣ通信リンクを介してハンドオーバプロトコルを行うのが容易でない場合もある。
【０１０７】
ここで、前記第１電子機器１００は、前記第２電子機器２００のＮＦＣ通信範囲である半径Ｒ１以内に移動できる。前記第１電子機器１００は、前記第２電子機器２００のＮＦＣ通信範囲である半径Ｒ１以内に移動することによって、前記第１電子機器１００は、前記第２電子機器２００とＮＦＣ通信リンクを形成できる。前記第１電子機器１００は、前記ＮＦＣ通信リンクを介して、前記第２電子機器２００から前記第２電子機器２００において支援する代替通信手段に関連した情報を獲得できる。前記代替通信手段に関連した情報については後述する。
【０１０８】
また、ここで、ユーザは、前記第１電子機器１００の入力部１４０を介して前記第２電子機器２００とハンドオーバ媒介プロトコルの実行を要請するメッセージを入力できる。また、前記第１電子機器１００は、前記メッセージに従って前記第２電子機器２００から前記第２電子機器２００が支援する通信手段と関連した情報を獲得した場合、前記第１電子機器１００は、前記出力部１５０を介して前記第２電子機器２００の通信手段と関連した情報が獲得されたことをユーザに知らせることができる。
【０１０９】
また、前記第１電子機器１００は、前記第３電子機器３００のＮＦＣ通信範囲である半径Ｒ２以内に移動できる。前記第１電子機器１００は、前記第３電子機器３００のＮＦＣ通信範囲である半径Ｒ２以内に移動することによって、前記第１電子機器１００は、前記第３電子機器３００とＮＦＣ通信リンクを形成できる。ここで、前記第１電子機器１００は、前記ＮＦＣ通信リンクを介して、前記第３電子機器３００から前記第３電子機器３００において支援する代替通信手段に関連した情報を獲得できる。または、前記第１電子機器１００は、前記第２電子機器２００から獲得した前記第２電子機器３００において支援する代替通信手段に関連した情報を前記第３電子機器に伝達できる。
【０１１０】
ここで、ユーザは、第１電子機器１００の入力部１４０を介して前記第３電子機器３００とハンドオーバ媒介プロトコルの実行を要請するメッセージを入力できる。また、前記第１電子機器１００は、前記メッセージに従って前記第３電子機器３００から前記第２電子機器２００が支援する通信手段と関連した情報を獲得した場合、前記第１電子機器１００は、前記出力部１５０を介して前記第３電子機器３００の通信手段と関連した情報が獲得されたことを知らせる情報または前記第２電子機器２００から獲得した通信手段と関連した情報が前記第３電子機器３００に転送されたことを知らせる情報を出力できる。
【０１１１】
また、前記第１電子機器１００ないし前記第３電子機器３００のうち、少なくとも一つにより、前記第２電子機器２００及び前記第３電子機器３００において共通的に利用可能な少なくとも一つの代替通信手段が選択されることができる。前記選択された少なくとも一つの代替通信手段を介して、前記第２電子機器２００及び前記第３電子機器３００間の通信リンクが開設されることができる。
【０１１２】
ここで、前記第１電子機器１００は、前記第２電子機器２００及び前記第３電子機器３００のそれぞれに対してハンドオーバ媒介プロトコルのためのハンドオーバ媒介機器（ｈａｎｄｏｖｅｒ  ｍｅｄｉａｔｏｒ）としての役割を行うことができる。
【０１１３】
以下、前記図８を参照して概括したハンドオーバ媒介プロトコルを利用してコネクションを開設する多様な実施の形態について、図面を参照してより具体的に説明する。以下で説明するハンドオーバ媒介プロトコルの実施の形態は一例に過ぎず、本発明の技術的思想は、これに限定されるものではない。
【０１１４】
図９は、本発明の第１の実施の形態にかかるハンドオーバ媒介プロトコルを説明するための図である。図９を参照して、図９に示す第１電子機器１００を媒介に、第２電子機器２００及び第３電子機器３００の間に通信リンクを開設する方法を説明する。
【０１１５】
前記第１電子機器１００は、図８を参照して説明した前記第１電子機器１００と前記第２電子機器２００との間に形成されたＮＦＣ通信リンクを介して、前記第２電子機器２００に第１ハンドオーバ要請メッセージを転送でき［Ｓ６１０］、前記第２電子機器２００は、前記第１ハンドオーバ要請メッセージに対する応答として、前記第２電子機器により支援される第１代替通信手段に関連した情報を含む第１応答メッセージを転送できる［Ｓ６３０］。
【０１１６】
また、前記第１電子機器１００は、図８を参照して説明した前記第１電子機器１００と前記第３電子機器２００との間に形成されたＮＦＣ通信リンクを介して、前記第３電子機器３００に第２ハンドオーバ要請メッセージを転送でき［Ｓ６５０］、前記第３電子機器３００は、前記第２ハンドオーバ要請メッセージに対する応答として、前記第３電子機器により支援される第２代替通信手段に関連した情報を含む第２応答メッセージを転送できる［Ｓ６７０］。
【０１１７】
ここで、前記第１ハンドオーバ要請メッセージ及び前記第２ハンドオーバ要請メッセージは、前記第２電子機器２００及び前記第３電子機器３００が支援する代替通信手段に対するケイパビリティー（Ｃａｐａｂｉｌｉｔｙ）を要請するメッセージでありうる。このとき、前記第１ハンドオーバ要請メッセージ及び前記第２ハンドオーバ要請メッセージの構造は、上述したハンドオーバプロトコルで用いられるハンドオーバ要請メッセージと異なる形態でありうる。
【０１１８】
これにより、前記第１応答メッセージ及び前記第２応答メッセージは、前記第２電子機器２００及び前記第３電子機器３００が支援する代替通信手段に対するケイパビリティー（Ｃａｐａｂｉｌｉｔｉｅｓ）を含むことができ、前記第１応答メッセージ及び第２応答メッセージをハンドオーバケイパビリティーメッセージ（Ｈａｎｄｏｖｅｒ  Ｃａｐａｂｉｌｉｔｉｅｓ  Ｍｅｓｓａｇｅ）と呼ぶことができる。
【０１１９】
前記ハンドオーバ要請メッセージ（Ｈａｎｄｏｖｅｒ  Ｒｅｑｕｅｓｔ  Ｍｅｓｓａｇｅ）及び前記ハンドオーバケイパビリティーメッセージ（Ｈａｎｄｏｖｅｒ  Ｃａｐａｂｉｌｉｔｉｅｓ  Ｍｅｓｓａｇｅ）の具体的な形態については後述する。
【０１２０】
また、ここで、前記第１、２代替通信手段と関連した情報は、少なくとも代替通信手段の名称及び設定情報（ｃｏｎｆｉｇｕｒａｔｉｏｎ  ｉｎｆｏｒｍａｔｉｏｎ）を備えることができる。例えば、前記第２電子機器２００により支援される代替通信手段がＷｉ−Ｆｉである場合、前記第２電子機器２００が支援する代替通信手段の名称がＷｉ−Ｆｉという情報を含むことができる。また、例えば、前記設定情報は、前記第２電子機器２００とＷｉ−Ｆｉリンクを開設するために必要な接続情報または前記第２電子機器２００が別途のＷｉ−Ｆｉ  ＡＰ（Ａｃｃｅｓｓ  Ｐｏｉｎｔ）に接続している場合、前記Ｗｉ−Ｆｉ  ＡＰに接続するために必要な接続情報を含むことができる。
【０１２１】
また、ここで前記第２電子機器２００及び前記第３電子機器３００が提供する代替通信手段は、複数でありえ、前記代替通信手段が一つ以上である場合、前記代替通信手段に関連した情報は一つ以上でありうる。
【０１２２】
これにより、前記第１代替通信手段に関連した情報及び前記第２代替通信手段に関連した情報に基づいて選択された一つの代替通信手段を介して、前記第２電子機器２００または前記第３電子機器３００により前記第２電子機器２００及び前記第３電子機器３００のの間に通信リンクの接続が開始されることができる［Ｓ６９０］。図９の（ａ）では、前記第３電子機器３００により通信リンクの接続が開始される場合を例に挙げて示している。
【０１２３】
ここで、前記第１電子機器１００は、前記第１代替通信手段に関連した情報及び前記第２代替通信手段に関連した情報に基づいて、前記第２電子機器２００及び前記第３電子機器３００において共通的に支援される一つの代替通信手段を選択できる。
【０１２４】
このとき、前記第２電子機器２００及び前記第３電子機器３００において共通的に支援される代替通信手段が一つ以上である場合、前記第１電子機器１００は、代替通信手段の優先順位を自動的に選択できる。または前記第１電子機器１００は、前記第１電子機器１００ないし第３電子機器３００のうちの何れか一つの機器により予め付与された優先順位に従って、一つの代替通信手段を選択できる。また、前記第２電子機器２００及び前記第３電子機器３００において共通的に支援される一つの代替通信手段は、前記第１電子機器１００以外に前記第２電子機器２００または前記第３電子機器３００により選択されうることはもちろんである。また、ユーザがユーザインタフェース（Ｕｓｅｒ  Ｉｎｔｅｒｆａｃｅ）を介して望む代替通信手段を指定することもできる。
【０１２５】
したがって、前記第１電子機器１００ないし前記第３電子機器３００のうちの何れか一つの機器またはユーザによって選択された一つの代替通信手段を介して、前記第２電子機器２００及び前記第３電子機器の間に通信リンクの接続が開始されることができる。
【０１２６】
一方、前記第１電子機器１００は、前記選択された代替通信手段を介して通信リンクの接続を開始することを前記第２電子機器２００または前記第３電子機器３００に要請できる。以下、図９の（ｂ）を参照して、前記第１電子機器１００が前記第２電子機器２００または前記第３電子機器３００に対して、前記通信リンクの接続を開始することを要請する別途のメッセージを転送する場合を例に挙げて説明する。
【０１２７】
図９の（ｂ）を参照すれば、前記第１電子機器１００は、前記選択された代替通信手段を介して通信リンクの接続を開始することを要請する別途のメッセージを前記第２電子機器２００または前記第３電子機器３００に転送できる［Ｓ６６０］。前記通信リンクの接続を開始することを要請するメッセージをハンドオーバ開始要請メッセージ（Ｈａｎｄｏｖｅｒ  Ｉｎｉｔｉａｔｅ  Ｒｅｑｕｅｓｔ  Ｍｅｓｓａｇｅ）と呼ぶことができる。前記ハンドオーバ開始要請メッセージには、前記第１代替通信手段に関連した情報または前記第２代替通信手段に関連した情報が含まれていることができ、または前記第１電子機器１００またはユーザにより選択された代替通信手段に関連した情報が含まれていることもできる。
【０１２８】
また、前記第２電子機器２００または前記第３電子機器３００は、前記ハンドオーバ開始要請メッセージに対応してハンドオーバ開始応答メッセージ（Ｈａｎｄｏｖｅｒ  Ｉｎｉｔｉａｔｅ  Ｒｅｓｐｏｎｓｅ  Ｍｅｓｓａｇｅ）を転送できる［Ｓ６８０］。前記ハンドオーバ開始応答メッセージは、前記ハンドオーバ開始要請メッセージに含まれた代替通信手段による通信リンクの開設を肯定するかどうかに関する情報を含むことができる。これにより、前記応答メッセージが前記選択された代替通信手段による通信リンクの開設を肯定するメッセージを含むことができ、前記第２電子機器２００または前記第３電子機器３００は、通信リンクの接続を開始できる［Ｓ６９０］。
【０１２９】
ここで、図９の（ｂ）に示すように、前記第１電子機器１００が前記第２電子機器２００に対して前記通信リンクの開始を要請しようとする場合、前記第１電子機器１００は、前記ハンドオーバ開始要請メッセージを転送する以前に、前記第２電子機器２００が逆互換性（ｂａｃｋｗａｒｄ  ｃｏｍｐａｔｉｂｉｌｉｔｙ）のために、ハンドオーバ媒介プロトコルを支援するバージョンであるかどうかを確認する第３ハンドオーバ要請メッセージを転送できる［Ｓ６２０］。
【０１３０】
また、ここで、前記第３ハンドオーバ要請メッセージは、図９の（ａ）を参照して説明した前記第１ハンドオーバ要請メッセージ及び前記第２ハンドオーバ要請メッセージと同じ構造を有することができる。また、前記第２電子機器２００は、前記第３ハンドオーバ要請メッセージに対して第３応答メッセージを転送でき、前記第３応答メッシュは、図９の（ａ）を参照して説明した前記ハンドオーバケイパビリティーメッセージ（Ｈａｎｄｏｖｅｒ  Ｃａｐａｂｉｌｉｔｉｅｓ  Ｍｅｓｓａｇｅ）と同じ構造を有することができる。
【０１３１】
一方、前記第２電子機器２００及び／または前記第３電子機器３００が本発明の他の実施の形態に係るハンドオーバ媒介プロトコルを支援するバージョンでない場合については後述する。
【０１３２】
これによって、前記第２電子機器２００及び前記第３電子機器は、ＮＦＣ通信範囲の外部でも、またはＮＦＣ通信範囲内にあっても移動性が低くてＮＦＣ通信リンクを介したコネクションが難しい場合にも、図９の（ａ）及び（ｂ）に示すように、前記第１電子機器１００を媒介として、代替通信手段を介して通信を行うことができる。
【０１３３】
図１０は、本発明の第１の実施の形態にかかるハンドオーバ媒介プロトコルに使用される案内メッセージを説明するための図である。
【０１３４】
まず、ユーザは、前記図１０の（ａ）に出力されたユーザインタフェースを介して、ハンドオーバ媒介を選択することによって、前記第１電子機器１００にハンドオーバ媒介プロトコルの実行を命令できる。一方、前記第２電子機器２００が前記図１０の（ａ）に示すユーザインタフェースを出力できることはもちろである。以下、説明の便宜のために前記第１電子機器１００を基準に説明するが、前記第２電子機器２００でも前記第１電子機器１００と同じユーザインタラクション（ｕｓｅｒ  ｉｎｔｅｒａｃｔｉｏｎ）を提供できることはもちろんである。
【０１３５】
前記第１電子機器１００は、前記第２電子機器２００のＮＦＣ通信範囲以内で、ＮＦＣ通信リンクを介して前記第２電子機器２００が支援する前記第１代替通信手段に関連した情報を獲得した後、図１０の（ｂ）に示すように、ハンドオーバ媒介を行う他の電子機器に移動しろとの案内メッセージを出力することもできる。
【０１３６】
また、前記第１電子機器１００は、ステップＳ６３０またはステップＳ６７０にて、前記第２電子機器２００または前記第３電子機器３００が支援する代替通信手段がない場合、例えば、図１０の（ｃ）に示すように、前記第３電子機器が支援する通信手段がないことを表す案内メッセージを出力できる。
【０１３７】
また、前記第２電子機器２００及び前記第３電子機器３００において共通的に支援される代替通信手段が複数の場合、例えば、図１０の（ｄ）に示すように、Ｗｉ−Ｆｉ及びブルートゥースが支援される場合、ユーザは、前記第１電子機器１００が出力するユーザインタフェースにおいてＷｉ−Ｆｉを選択することによって、前記電子機器２００と前記第３電子機器３００との間に通信リンクの開設に使用される代替通信手段として、Ｗｉ−Ｆｉを指定できる。
【０１３８】
また、ステップＳ６９０にて説明したように、前記第１電子機器１００を媒介として前記第２電子機器２００及び前記第３電子機器３００の間に代替通信手段を介した通信リンクの接続が開始される場合、図１０の（ｅ）に示すように、前記第１電子機器１００は、前記第２電子機器２００及び前記第３電子機器３００のうち、少なくとも一つは、各々の出力部を介してコネクションが開設されたことを知らせる情報を出力できる。
【０１３９】
図１１は、本発明の第２の実施の形態にかかるハンドオーバ媒介プロトコルを説明するための図である。ここで、図１０を参照して説明した同じユーザインタラクション（ｕｓｅｒ  ｉｎｔｅｒａｃｔｉｏｎ）が提供されうることはもちろんである。
【０１４０】
図１１の（ａ）及び（ｂ）を参照すれば、前記第１電子機器１００と前記第２電子機器２００とは、前記第２電子機器２００が支援する代替通信手段に関連した情報を獲得でき、前記代替通信手段に関連した情報を獲得するためのメッセージを交換できる［Ｓ７１０］。
【０１４１】
ここで、前記第１電子機器１００は、図８を参照して説明した前記第１電子機器１００と前記第２電子機器２００との間に形成されたＮＦＣ通信リンクを介して、前記第２電子機器２００で支援する代替通信手段に関連した情報を獲得するためのメッセージを転送でき、このようなメッセージを先の図１０の（ａ）で説明したように、ハンドオーバ獲得メッセージ（Ｈａｎｄｏｖｅｒ  Ｇｅｔ  Ｍｅｓｓａｇｅ）と呼称できる。また、前記第２電子機器２００は、前記ハンドオーバ獲得メッセージに対する応答として、前記第２電子機器２００により支援される第１代替通信手段に関連した情報を含むメッセージを転送でき、このようなメッセージをハンドオーバ選択メッセージ（Ｈａｎｄｏｖｅｒ  Ｓｅｌｅｃｔ  Ｍｅｓｓａｇｅ）と呼ぶことができる。
【０１４２】
また、ここで、前記ハンドオーバ獲得メッセージ及び前記ハンドオーバ選択メッセージは、図９を参照して説明したハンドオーバ要請メッセージ及びハンドオーバケイパビリティーメッセージに対応でき、同じ構造を有することができる。
【０１４３】
一方、前記第２電子機器２００が支援する代替通信手段がないか、または代替通信手段を介した通信リンクの開始を望まない場合には、前記ハンドオーバ選択メッセージには、代替通信手段に関連した情報が含まれていなくても良い。
【０１４４】
また、図１１の（ａ）に示すように、前記第１電子機器１００は、前記第３電子機器３００のＮＦＣ通信範囲内に移動できる［Ｓ７３０］。また、図１１の（ａ）及び（ｂ）に示すように、前記第２電子機器２００から獲得した前記第１代替通信手段に関連した情報を前記第３電子機器３００に伝達でき、前記第１代替通信手段に関連した情報を伝達するためのメッセージを交換できる［Ｓ７５０］。
【０１４５】
ここで、前記第１電子機器１００は、図８を参照して説明した前記第１電子機器１００と前記第３電子機器２００との間に形成されたＮＦＣ通信リンクを介して、前記第３電子機器３００に前記第１代替通信手段に関連した情報を伝達するためのメッセージを転送できる。この場合、前記第１電子機器１００がステップＳ７１０にて獲得された前記第１代替通信手段に関連した情報を伝達することに過ぎないので、ステップＳ７１０にて説明したハンドオーバ獲得メッセージ（Ｈａｎｄｏｖｅｒ  Ｇｅｔ  Ｍｅｓｓａｇｅ）と区別して、ハンドオーバ提供メッセージ（Ｈａｎｄｏｖｅｒ  Ｐｕｔ  Ｍｅｓｓａｇｅ）と呼ぶこともある。また、前記第３電子機器３００は、前記ハンドオーバ提供メッセージに対して、通信リンクの開始に関連した情報を含む応答メッセージを転送できる。
【０１４６】
ここで、前記応答メッセージに含まれた通信リンクの開始に関連した情報は、前記第３電子機器３００が前記ハンドオーバ提供メッセージに含まれた前記第１代替通信手段に関連した情報に含まれた、少なくとも一つの代替通信手段による通信リンクの接続を肯定するかどうかに関する情報を含むことができる。
【０１４７】
例えば、万一、前記第３電子機器３００が、前記少なくとも一つの代替通信手段による通信リンクの接続を肯定する応答メッセージを転送でき、この場合、前記応答メッセージをハンドオーバ肯定応答メッセージ（Ｈａｎｄｏｖｅｒ  ＡＣＫ  Ｍｅｓｓａｇｅ）と呼ぶことができる。また、前記ハンドオーバ肯定応答メッセージ（Ｈａｎｄｏｖｅｒ  ＡＣＫ  Ｍｅｓｓａｇｅ）には、前記第２電子機器２００及び前記第３電子機器３００のうちのどの機器が前記通信リンクの接続を開始するかに関する情報を含むことができる。
【０１４８】
一方、前記第３電子機器３００は、前記ハンドオーバ獲得メッセージに含まれた前記第１代替通信手段に関連した情報に含まれた代替通信手段が複数の場合、一つの代替通信手段を選択でき、これは、前記応答メッセージに含まれることができる。これにより、前記第１電子機器１００は、前記応答メッセージに含まれた情報に基づいて、前記第２電子機器２００または前記第３電子機器３００に前記選択された一つの代替通信手段を介した通信リンクの開始を要請できる。
【０１４９】
また、例えば、前記第３電子機器３００が前記少なくとも一つの代替通信手段による通信リンクの接続を望まない場合、または前記少なくとも一つの代替通信手段による通信リンクの接続が不可能な場合、通信リンクの接続を否定する応答メッセージを転送でき、この場合、前記応答メッセージをハンドオーバ不正応答メッセージ（Ｈａｎｄｏｖｅｒ  ＮＡＣＫ  Ｍｅｓｓａｇｅ）と呼ぶことができる。
【０１５０】
また、図１１の（ａ）及び（ｂ）に示すように、前記第３電子機器３００が通信リンクの接続を開始する場合、前記第３電子機器３００は、前記第２電子機器２００に、通信リンクの接続を開設することを要請するメッセージを転送できる［Ｓ７７０］。前記通信リンクの接続を開設することを要請するメッセージをコネクション開設メッセージまたは通信手段特定プロトコルメッセージと呼ぶことができる。
【０１５１】
一方、前記ハンドオーバ獲得メッセージ（Ｈａｎｄｏｖｅｒ  Ｇｅｔ  Ｍｅｓｓａｇｅ）、ハンドオーバ提供メッセージ（Ｈａｎｄｏｖｅｒ  Ｐｕｔ  Ｍｅｓｓａｇｅ）、ハンドオーバ選択メッセージ（Ｈａｎｄｏｖｅｒ  Ｓｅｌｅｃｔ  Ｍｅｓｓａｇｅ）及びハンドオーバ肯定／不正応答メッセージ（Ｈａｎｄｏｖｅｒ  ＡＣＫ／ＮＡＣＫ  Ｍｅｓｓａｇｅ）の具体的な形態については後述する。
【０１５２】
これにより、前記第２電子機器２００及び前記第３電子機器は、ＮＦＣ通信範囲の外部でも、またはＮＦＣ通信範囲内にあっても移動性が低くてＮＦＣ通信リンクを介したコネクションが難しい場合にも、図１１に示すように、前記第１電子機器１００を媒介として、代替通信手段により通信を行うことができる。
【０１５３】
図１２は、本発明の第３の実施の形態に係るハンドオーバ媒介プロトコルを説明するための図である。ここで、図１０を参照して説明した同じユーザインタラクション（ｕｓｅｒ  ｉｎｔｅｒａｃｔｉｏｎ）が提供されうることはもちろんである。
【０１５４】
図１２を参照すれば、前記第１電子機器１００は、図８を参照して説明した前記第１電子機器１００と前記第２電子機器２００との間に形成されたＮＦＣ通信リンクを介して、前記第２電子機器２００に前記第２電子機器２００が支援する第１代替通信手段に関連した情報を獲得するためのメッセージを転送でき［Ｓ８１０］、前記第１代替通信手段に関連した情報を獲得するためのメッセージを第１媒介獲得要請メッセージ（Ｍｅｄｉａｔｅ  Ｇｅｔ  Ｒｅｑｕｅｓｔ  Ｍｅｓｓａｇｅ）と呼ぶことができる。また、前記第２電子機器２００は、前記第１媒介獲得要請メッセージに対する応答として、前記第１代替通信手段に関連した情報を含む第１選択メッセージを転送できる［Ｓ８２０］。
【０１５５】
また、前記第１電子機器１００は、図８を参照して説明した前記第１電子機器１００と前記第３電子機器３００との間に形成されたＮＦＣ通信リンクを介して、前記第３電子機器３００に前記第３電子機器３００が支援する第２代替通信手段に関連した情報を獲得するためのメッセージを転送でき［Ｓ８３０］、前記第２代替通信手段に関連した情報を獲得するためのメッセージを第２媒介獲得要請メッセージと呼ぶことができる。また、前記第３電子機器３００は、前記第２媒介獲得要請メッセージに対する応答として、前記第２代替通信手段に関連した情報を含む第２選択メッセージを転送できる［Ｓ８４０］。
【０１５６】
ここで、前記第１電子機器１００は、前記第２電子機器２００及び前記第３電子機器３００の間にハンドオーバを媒介するので、ハンドオーバ媒介機器（ｈａｎｄｏｖｅｒ  ｍｅｄｉａｔｏｒ）と言える。また、図１２に示すステップＳ８１０ないしＳ８４０は、図９のステップＳ６１０、Ｓ６３０、Ｓ６５０及びＳ６７０のそれぞれに対応するので、説明を省略することにする。図９を参照して説明したハンドオーバ要請メッセージ（Ｈａｎｄｏｖｅｒ  Ｒｅｑｕｅｓｔ  Ｍｅｓｓａｇｅ）及び図１１を参照して説明したハンドオーバ獲得メッセージ（Ｈａｎｄｏｖｅｒ  Ｇｅｔ  Ｍｅｓｓａｇｅ）は、図１２の媒介獲得要請メッセージ（Ｍｅｄｉａｔｅ  Ｇｅｔ  Ｒｅｑｕｅｓｔ  Ｍｅｓｓａｇｅ）に対応でき、メッセージの構造が同一でありうる。
【０１５７】
また、図１２の（ａ）及び（ｂ）に示すように、前記第１電子機器１００は、前記第２電子機器２００または前記第３電子機器３００のうちの何れか一つの機器を、代替通信手段を介した通信リンクを開始する電子機器として決定できる［Ｓ８５０］。またはユーザが前記第２電子機器２００または前記第３電子機器３００のうちの何れか一つの機器を、代替通信手段を介した通信リンクを開始する電子機器として決定できることはもちろんである。
【０１５８】
また、前記第１電子機器１００は、前記決定によって前記第２電子機器２００または前記第３電子機器に、代替通信手段を介した通信リンクの開始を要請するメッセージを転送でき［Ｓ８６０］、前記通信リンクの開始を要請するメッセージには、前記第１代替通信手段に関連した情報または前記第２代替通信手段に関連した情報が含まれていることができる。ここで、前記通信リンクの開始を要請するメッセージは、前記第１代替通信手段に関連したメッセージまたは前記第２代替通信手段に関連したメッセージを前記第３電子機器３００または前記第２電子機器２００に提供するので、前記通信リンクの開始を要請するメッセージを媒介提供要請メッセージ（Ｍｅｄｉａｔｅ  Ｐｕｔ  Ｒｅｑｕｅｓｔ  Ｍｅｓｓａｇｅ）と呼ぶことができる。
【０１５９】
例えば、図１２の（ａ）を参照すれば、前記第１電子機器１００が前記第２電子機器２００に対して通信リンクの開始を要請する場合、前記媒介提供要請メッセージには、前記第２代替通信手段に関連した情報が含まれていることができる。また、例えば、図１２の（ｂ）を参照すれば、前記第１電子機器１００が前記第３電子機器３００に対して通信リンクの開始を要請する場合、前記媒介提供要請メッセージには、前記第１代替通信手段に関連した情報が含まれていることができる。
【０１６０】
また、前記第２電子機器２００または前記第３電子機器３００は、前記媒介提供要請メッセージに対する応答として、第３選択メッセージを転送できる［Ｓ８７０］。前記第３選択メッセージには、前記媒介提供要請メッセージに含まれた代替通信手段による通信リンクの開設を肯定するかどうかに関する情報を含むことができる。
【０１６１】
例えば、図１２の（ａ）を参照すれば、前記第１電子機器１００が前記第２電子機器２００に対して通信リンクの開始を要請した場合、前記第３選択メッセージには、前記第３電子機器３００において支援する代替通信手段による通信リンクの開設を肯定するかどうかに関する情報が含まれていることができる。
【０１６２】
また、例えば、図１２の（ｂ）を参照すれば、前記第１電子機器１００が前記第３電子機器３００に対して通信リンクの開始を要請した場合、前記第３選択メッセージには、前記第２電子機器２００において支援する代替通信手段による通信リンクの開設を肯定するかどうかに関する情報が含まれていることができる。ここで、前記媒介獲得要請メッセージ（Ｍｅｄｉａｔｅ  Ｇｅｔ  Ｒｅｑｕｅｓｔ  Ｍｅｓｓａｇｅ）及び前記媒介提供要請メッセージ（Ｍｅｄｉａｔｅ  Ｐｕｔ  Ｒｅｑｕｅｓｔ  Ｍｅｓｓａｇｅ）は、図９の（ａ）を参照して説明したハンドオーバ要請メッセージ（Ｈａｎｄｏｖｅｒ  Ｒｅｑｕｅｓｔ  Ｍｅｓｓａｇｅ）及び図９の（ｂ）を参照して説明したハンドオーバ開始要請メッセージ（Ｈａｎｄｏｖｅｒ  Ｉｎｉｔｉａｔｅ  Ｒｅｑｕｅｓｔ  Ｍｅｓｓａｇｅ）に対応できる。また、前記第１選択メッセージ及び前記第２選択メッセージは、図９の（ａ）を参照して説明したハンドオーバケイパビリティーメッセージ（Ｈａｎｄｏｖｅｒ  Ｃａｐａｂｉｌｉｔｉｅｓ  Ｍｅｓｓａｇｅ）に対応でき、前記第３選択メッセージは、図９の（ｂ）を参照して説明したハンドオーバ開始応答メッセージ（Ｈａｎｄｏｖｅｒ  Ｉｎｉｔｉａｔｅ  Ｒｅｓｐｏｎｓｅ  Ｍｅｓｓａｇｅ）または図１１を参照して説明したハンドオーバ応答肯定／不正メッセージ（Ｈａｎｄｏｖｅｒ  ＡＣＫ／ＮＡＣＫ  Ｍｅｓｓａｇｅ）にそれぞれ対応できる。また、それぞれの対応するメッセージは、同じ構造を有することができる。
【０１６３】
一方、前記媒介獲得要請メッセージ、媒介提供要請メッセージ、選択メッセージの具体的な形態については後述する。
【０１６４】
また、前記第３選択メッセージは、前記媒介提供要請メッセージに含まれた代替通信手段の中で、前記第１電子機器１００により選択された一つの代替通信手段に関連した情報でありうる。または前記第２電子機器２００、前記第３電子機器３００またはユーザにより選択された一つの代替通信手段に関連した情報でありうる。
【０１６５】
一方、図１３を参照すれば、ユーザが前記第２電子機器２００及び前記第３電子機器３００のうち、どの電子機器が通信リンクの接続を開始するかを知っている場合には、前記第１電子機器１００は、前記媒介提供要請メッセージを転送しなくても良い。したがって、前記第２電子機器２００または前記第３電子機器３００は、前記選択された一つの代替通信手段を介した通信リンクの接続を開始できる［Ｓ８８０］。
【０１６６】
これにより、前記第２電子機器２００及び前記第３電子機器は、ＮＦＣ通信範囲の外部でも、またはＮＦＣ通信範囲内にあっても移動性が低くてＮＦＣ通信リンクを介したコネクションが難しい場合にも、図１２に示すように、前記第１電子機器１００を媒介として、代替通信手段により通信を行うことができる。
【０１６７】
図１４は、本発明の第４の実施の形態に係るハンドオーバ媒介プロトコルを説明するための図である。ここで、図１０を参照して説明した同じユーザインタラクション（ｕｓｅｒ  ｉｎｔｅｒａｃｔｉｏｎ）が提供されうることはもちろんである。
【０１６８】
図１４を参照すれば、前記第１電子機器１００は、前記第２電子機器２００に前記第２電子機器２００が支援する第１代替通信手段に関連した情報を獲得するための第１ハンドオーバ媒介メッセージ（Ｈａｎｄｏｖｅｒ  ｍｅｄｉａｔｅ  Ｍｅｓｓａｇｅ）を転送できる［Ｓ９１０］。また、前記第１電子機器１００は、前記第１ハンドオーバ媒介メッセージに対する応答として前記第１電子機器２００が支援する第１代替通信手段に関連した情報を含む第１ハンドオーバ選択メッセージを受信することができる［Ｓ９３０］。
【０１６９】
ここで、ステップＳ９１０及びＳ９３０は、図９を参照して説明したステップＳ６１０及びＳ６３０に対応できるので、説明を省略する。ここで、前記第１ハンドオーバ媒介メッセージは、図９の第１ハンドオーバ要請メッセージに対応でき、同じメッセージの構造を有することができる。
【０１７０】
また、前記第１電子機器１００は、前記第３電子機器３００に対して、第２ハンドオーバ媒介メッセージを転送できる［Ｓ９５０］。前記第２ハンドオーバ媒介メッセージは、前記第１ハンドオーバ媒介メッセージとは異なり、第３電子機器３００が支援する代替通信手段に関連した情報を獲得するためのものではなく、前記第２電子機器２００から獲得した第１代替通信手段に関連した情報を伝達するためのものであって、図１１を参照して説明したハンドオーバ提供メッセージ（Ｈａｎｄｏｖｅｒ  Ｐｕｔ  Ｍｅｓｓａｇｅ）に対応できる。
【０１７１】
また、前記第３電子機器３００は、前記第２ハンドオーバ媒介メッセージに対する応答として、第２ハンドオーバ選択メッセージを転送できる［Ｓ９７０］。
【０１７２】
ここで、前記第３電子機器３００は、前記第２ハンドオーバ媒介メッセージに含まれた前記第１代替通信手段に関連した情報に基づいて、前記第３電子機器３００において利用可能な一つの代替通信手段を選択できる。また、前記第２ハンドオーバ選択メッセージには、前記第３電子機器３００により選択された一つの代替通信手段に関連した情報が含まれることができる。しかし、前記第３電子機器３００において利用可能な代替通信手段がないか、または前記第３電子機器３００が代替通信手段による通信リンクの接続を望まない場合、前記第２ハンドオーバ選択メッセージには、代替通信手段に関連した情報が含まれていなくても良い。
【０１７３】
また、前記第３電子機器３００は、前記第２ハンドオーバ選択メッセージを転送した後、前記第２電子機器２００に対して前記選択された一つの代替通信手段を介して通信リンクの開始を要請できる［Ｓ９９０］。
【０１７４】
一方、前記ハンドオーバ媒介メッセージ及び前記ハンドオーバ選択メッセージの具体的な形態については後述する。
【０１７５】
これにより、前記第２電子機器２００及び前記第３電子機器は、ＮＦＣ通信範囲の外部でも、またはＮＦＣ通信範囲内にあっても移動性が低くてＮＦＣ通信リンクを介したコネクションが難しい場合にも、図１４に示すように、前記第１電子機器１００を媒介として、代替通信手段により通信を行うことができる。
【０１７６】
図１５は、本発明の第５の実施の形態に係るハンドオーバ媒介プロトコルを説明するための図である。
【０１７７】
図１５に示すように、前記第１電子機器１００は、前記第２電子機器２００に対して第１ハンドオーバ媒介メッセージを転送できる［Ｓ１０１０］。また、前記第２電子機器２００は、前記第１ハンドオーバ媒介メッセージに対する応答として、前記第２電子機器２００におい支援する第１代替通信手段に関連した情報を含む第１ハンドオーバ選択メッセージを転送できる［Ｓ１０２０］。ここで、ステップＳ１０１０及びＳ１０２０は、図１４を参照して説明したステップＳ９１０及びＳ９３０に対応できるので、説明を省略する。
【０１７８】
また、前記第１電子機器１００は、前記第３電子機器３００に対して第２ハンドオーバ媒介メッセージを転送できる［Ｓ１０３０］。前記第２ハンドオーバ媒介メッセージは、図１４に示す第２ハンドオーバ媒介メッセージとは異なり、前記第３電子機器３００から前記第３電子機器３００が支援する第２代替通信手段に関連した情報を獲得するためのものである。したがって、前記第３電子機器は、前記第２代替通信手段に関連した情報を含む第２ハンドオーバ選択メッセージを転送できる［Ｓ１０４０］。
【０１７９】
また、前記第１電子機器１００は、前記第２電子機器２００及び前記第３電子機器３００のうち、代替通信手段を介した通信リンク接続を開始する一つの電子機器を選択できる［Ｓ１０５０］。前記第１電子機器１００は、通信リンク接続を開始する電子機器を任意に選択しても良く、予め設定された基準によって選択しても良い。
【０１８０】
例えば、図１５に示すように、前記第１電子機器１００が前記第２電子機器２００を前記通信リンクの接続を開始する電子機器として選択した場合、前記第１電子機器１００は、前記第２電子機器２００に対して前記第２代替通信手段に関連した情報を含む第３ハンドオーバ媒介メッセージを転送できる［Ｓ１０６０］。前記第３ハンドオーバ媒介メッセージは、前記第２電子機器２００に対して通信リンクの接続を開始することを要請するメッセージであるから、図９の（ｂ）を参照して説明したハンドオーバ開始要請メッセージ（Ｈａｎｄｏｖｅｒ  Ｉｎｉｔｉａｔｅ  Ｒｅｑｕｅｓｔ  Ｍｅｓｓａｇｅ）または図１２及び図１３を参照して説明した媒介提供要請メッセージ（Ｍｅｄｉａｔｅ  Ｐｕｔ  Ｒｅｑｕｅｓｔ  Ｍｅｓｓａｇｅ）に対応でき、同じメッセージの構造を有することができる。
【０１８１】
前記第２電子機器２００または第３電子機器３００は、前記第３ハンドオーバ媒介メッセージに対する応答として、第３ハンドオーバ選択メッセージを転送できる［Ｓ１０７０］。前記第３ハンドオーバ選択メッセージは、前記第３ハンドオーバ媒介メッセージに含まれた代替通信手段による通信リンクの接続を肯定するかどうかに関する情報を含むことができる。したがって、前記第３ハンドオーバ選択メッセージは、図９の（ｂ）を参照して説明したハンドオーバ開始応答メッセージ（Ｈａｎｄｏｖｅｒ  Ｉｎｉｔｉａｔｅ  Ｒｅｓｐｏｎｓｅ  Ｍｅｓｓａｇｅ）または図１１を参照して説明したハンドオーバ応答肯定／不正メッセージ（Ｈａｎｄｏｖｅｒ  ＡＣＫ／ＮＡＣＫ  Ｍｅｓｓａｇｅ）にそれぞれ対応できる。また、それぞれの対応するメッセージは、同じ構造を有することができる。
【０１８２】
一方、前記ハンドオーバ媒介メッセージ及び前記ハンドオーバ選択メッセージの具体的な形態については後述する。
【０１８３】
また、図１５に示すように、前記第２電子機器２００は、前記第３応答メッセージを転送した以後に、一つの代替通信手段を介した通信リンクの接続を開始できる［Ｓ１０８０］。
【０１８４】
ここで、前記一つの代替通信手段は、先に図９を参照して説明したように、第１電子機器１００ないし第３電子機器３００またはユーザにより選択されることができる。
【０１８５】
これにより、前記第２電子機器２００及び前記第３電子機器は、ＮＦＣ通信範囲の外部でも、またはＮＦＣ通信範囲内にあっても移動性が低くてＮＦＣ通信リンクを介したコネクションが難しい場合にも、図１５に示すように、前記第１電子機器１００を媒介として、代替通信手段により通信を行うことができる。
【０１８６】
図１６は、本発明の第６の実施の形態に係るハンドオーバ媒介プロトコルを説明するための図である。ここで、図１０を参照して説明したものと同じユーザインタラクションが提供されうることはもちろんである。
【０１８７】
図１６を参照すれば、前記第１電子機器１００は、前記第２電子機器２００から前記第２電子機器２００において支援する代替通信手段に関連した情報を獲得するために、前記第２電子機器２００と代替通信手段を介した通信リンクの接続を開設できる［Ｓ１１５０］。すなわち、前記第１電子機器１００は、前記第２電子機器２００と本発明の一実施の形態にかかるハンドオーバプロトコルによる通信リンクの接続を開設した後、前記ハンドオーバプロトコルにより形成された代替通信手段を介してハンドオーバ媒介プロトコルを行うことができる。
【０１８８】
したがって、前記第１電子機器１００は、前記第２電子機器２００と前記代替通信手段を介した通信リンクを介して、前記第２電子機器２００にハンドオーバ要請メッセージを転送でき［Ｓ１１１０］、前記第２電子機器２００は、前記ハンドオーバ要請メッセージに対する応答として前記ハンドオーバ選択メッセージを転送できる［Ｓ１１３０］。また、ステップＳ１１７０及びＳ１１９０は、図１１のステップＳ７５０及びＳ７７０に対応できるので、詳細な説明は省略する。
【０１８９】
図１７は、本発明の第７の実施の形態に係るハンドオーバ媒介プロトコルを説明するための図である。ここで、図１０を参照して説明したものと同じユーザインタラクション（ｕｓｅｒ  ｉｎｔｅｒａｃｔｉｏｎ）が提供されうることはもちろんである。
【０１９０】
図１７に示すように、前記第１電子機器１００は、前記第２電子機器２００から前記第２電子機器２００が支援する代替通信手段に関連した情報を獲得できる［Ｓ１２１０］。ステップＳ１２１０は、図１１のステップＳ７１０に対応できるので、詳細な説明は省略する。
【０１９１】
また、前記第３電子機器３００が前記第１電子機器１００に対してハンドオーバ要請メッセージを転送でき［Ｓ１２３０］、前記第１電子機器１００は、前記ハンドオーバ要請メッセージに対する応答として、前記第３電子機器３００にハンドオーバ選択メッセージを転送できる［Ｓ１２５０］。
【０１９２】
ここで、前記ハンドオーバ選択メッセージは、先に図１１ないし１５を参照して説明したものとは異なり、前記第２電子機器及び前記第３電子機器が支援する第１代替通信手段に関連した情報及び第２代替通信手段に関連した情報をすべて含むことができる。
【０１９３】
図１８は、本発明の第８の実施の形態に係るハンドオーバ媒介プロトコルを説明するための図である。ここで、図１０を参照して説明したものと同じユーザインタラクション（ｕｓｅｒ  ｉｎｔｅｒａｃｔｉｏｎ）が提供されうることはもちろんである。
【０１９４】
図１８に示すように、前記第１電子機器１００は、前記第２電子機器２００から前記第２電子機器２００が支援する代替通信手段に関連した情報を獲得できる［Ｓ１３１０］。ステップＳ１３１０は、図１１のステップＳ７１０に対応できるので、詳細な説明は省略する。
【０１９５】
また、前記第１電子機器１００は、前記第３電子機器３００から前記第３電子機器３００が支援する代替通信手段に関連した情報を獲得するために前記第３電子機器３００と代替通信手段を介した通信リンクの接続を開設できる。すなわち、前記第１電子機器１００は、前記第３電子機器３００と本発明の一実施の形態にかかるハンドオーバプロトコルによる通信リンクの接続を開設した後、前記ハンドオーバプロトコルにより形成された代替通信手段を介してハンドオーバ媒介プロトコルを行うことができる。
【０１９６】
したがって、前記第１電子機器１００は、前記第３電子機器３００と前記代替通信手段を介した通信リンクを介して、前記第３電子機器３００にハンドオーバ要請メッセージを転送でき［Ｓ１３３０］、前記第３電子機器３００は、前記ハンドオーバ要請メッセージに対する応答としてハンドオーバ選択メッセージを転送できる［Ｓ１３５０］。
【０１９７】
これにより、前記第３電子機器３００は、前記第２電子機器２００に前記第３電子機器３００が支援する代替通信手段に関連した情報を転送することによって、代替通信手段による通信リンクの接続を開始できる。
【０１９８】
図１９ないし図２３は、本発明の第９の実施の形態に係るハンドオーバ媒介プロトコルを説明するための図である。
【０１９９】
本発明の第９の実施の形態に係るハンドオーバ媒介プロトコルは、図９ないし図１８を参照して説明したハンドオーバ媒介プロトコルとは異なり、前記第２電子機器２００または前記第３電子機器３００が二つの別個の構成からなることができる。すなわち、前記第２電子機器２００または前記第３電子機器３００は、タグ（ｔａｇ）とＮＦＣデバイスとが分離されて存在できる。
【０２００】
以下、説明の便宜のために、前記第２電子機器２００または前記第３電子機器３００がタグ（ｔａｇ）であると仮定して説明する。また、図１０を参照して説明したものと同じユーザインタラクション（ｕｓｅｒ  ｉｎｔｅｒａｃｔｉｏｎ）が提供されうることはもちろんである。
【０２０１】
図１９に示すように、前記第２電子機器２００は、タグ（ｔａｇ）で、前記第３電子機器３００は、ＮＦＣデバイスでありうる。
【０２０２】
前記第１電子機器１００は、前記第２電子機器２００のＮＦＣ通信範囲内に移動して、前記第２電子機器２００をタップ（ｔａｐ）またはタッチ（ｔｏｕｃｈ）することによって、前記第２電子機器２００から、前記第２電子機器が支援する第１代替通信手段に関連した情報を含むメッセージを受信することができる［Ｓ１４１０］。ここで、前記第２電子機器２００は、前記第１代替通信手段に関連した情報を予め格納していることができる。図１９に示すステップＳ１４３０ないしＳ１４７０は、前述した図９の（ａ）のステップＳ６５０ないしＳ６９０のそれぞれに対応できるので、説明を省略する。
【０２０３】
また、図２０に示すように、前記第２電子機器２００は、ＮＦＣデバイスで、前記第３電子機器３００は、タグ（ｔａｇ）でありうる。図２０によるハンドオーバ媒介プロトコルは、図１９を参照して前述したものと同一に構成されることができる。
【０２０４】
また、図２１に示すように、前記第１電子機器１００は、前記第２電子機器２００のＮＦＣ通信範囲内に移動して、前記第２電子機器２００のタグ（ｔａｇ）をリーディングし［Ｓ１５１０］、前記第２電子機器２００から、前記第２電子機器が支援する第１代替通信手段に関連した情報を含むハンドオーバ選択メッセージを受信することができる［Ｓ１５３０］。ここで、前記第２電子機器２００は、前記第１代替通信手段に関連した情報を予め格納していることができる。図２１に示すステップＳ１５５０及びＳ１５７０は、図１１の（ｂ）を参照して前述したステップＳ７５０及びＳ７７０のそれぞれに対応できるので、説明を省略する。
【０２０５】
また、図２２に示すように、前記第１電子機器１００は、前記第２電子機器２００のＮＦＣ通信範囲内に移動して、前記第２電子機器２００から前記第２電子機器２００が支援する第１代替通信手段に関連した情報を含む第１選択メッセージを受信することができる［Ｓ１６１０］。ここで、前記第２電子機器２００は、前記第１代替通信手段に関連した情報を予め格納していることができる。図２２に示すステップＳ１６３０、Ｓ１６５０及びＳ１６７０は、図１２を参照して前述したステップＳ８６０、Ｓ８７０及びＳ８８０にそれぞれ対応できるので、説明を省略する。
【０２０６】
また、図２３に示すように、前記第１電子機器１００は、前記第２電子機器２００のＮＦＣ通信範囲内に移動して、前記第２電子機器２００から前記第２電子機器２００が支援する第１代替通信手段に関連した情報を含む第１ハンドオーバ選択メッセージを受信することができる［Ｓ１７１０］。ここで、前記第２電子機器２００は、前記第１代替通信手段に関連した情報を予め格納していることができる。図２３に示すステップＳ１７３０、Ｓ１７５０及びＳ１７７０は、図１３を参照して前述したステップＳ９５０、Ｓ９７０及びＳ９９０にそれぞれ対応できるので、説明を省略する。
【０２０７】
図２４は、本発明の第１０の実施の形態に係るハンドオーバ媒介プロトコルを説明するための図である。
【０２０８】
図２４に示すように、前記第１電子機器１００は、複数の電子機器に対してハンドオーバ媒介プロトコルを行うことができる。例えば、図２４に示すように、前記第１電子機器１００は、前記第２電子機器２００から前記第２電子機器２００が支援する代替通信手段に関連した情報を獲得できる［Ｓ１８１０］。また、前記第１電子機器１００は、前記第３電子機器３００のＮＦＣ通信範囲内に移動し［Ｓ１８２０］、前記第３電子機器３００に前記第２電子機器３００が支援する代替通信手段に関連した情報を伝達できる［Ｓ１８３０］。よって、図１１のステップＳ７７０にて説明したように、前記第３電子機器３００は、前記第２電子機器２００に通信リンクの接続を要請するコネクション開設メッセージまたは通信手段特定プロトコルメッセージを転送することによって、通信リンクを開設できる［Ｓ１８４０］。また、前記第１電子機器１００は、第４電子機器のＮＦＣ通信範囲内に移動し［Ｓ１８５０］、前記第４電子機器４００に前記第２電子機器２００が支援する代替通信手段に関連した情報を伝達できる［Ｓ１８６０］。よって、図１１のステップＳ７７０にて説明したように、前記第４電子機器４００は、前記第２電子機器２００に通信リンクの接続を要請するコネクション開設メッセージまたは通信手段特定プロトコルメッセージを転送することによって、通信リンクを開設メッセージを転送できる［Ｓ１８７０］。
【０２０９】
図２５は、本発明の第１１の実施の形態に係るハンドオーバ媒介プロトコルを説明するための図である。
【０２１０】
図２５に示すように、前記第１電子機器１００は、前記第２電子機器２００から前記第２電子機器２００が支援する代替通信手段に関連した情報を獲得できる［Ｓ１９１０］。また、前記第１電子機器１００は、前記第３電子機器３００のＮＦＣ通信範囲内に移動できる［Ｓ１９２０］。前記第１電子機器１００は、前記第３電子機器３００に前記第２電子機器２００が支援する代替通信手段に関連した情報の伝達及び前記第３電子機器３００が支援する代替通信手段に関連した情報を獲得できる［Ｓ１９３０］。また、前記第１電子機器１００は、また前記第２電子機器２００のＮＦＣ通信範囲内に移動して［Ｓ１９４０］、前記第２電子機器２００に前記第３電子機器３００において支援する代替通信手段に関連した情報を伝達できる［Ｓ１９５０］。よって、図１１のステップＳ７７０にて説明したように、前記第２電子機器２００は、前記第３電子機器３００に通信リンクの接続を要請するコネクション開設メッセージまたは通信手段特定プロトコルメッセージを転送することによって、通信リンクの開設メッセージを転送できる［Ｓ１９６０］。
【０２１１】
図２６は、本発明の第１２の実施の形態に係るハンドオーバ媒介プロトコルを説明するための図である。
【０２１２】
図２６に示すように、前記第２電子機器２００が前記第１電子機器１００に対して第１ハンドオーバ要請メッセージを転送すると［Ｓ２０１０］、前記第１電子機器１００は、前記第２電子機器２００にハンドオーバ待機メッセージ（Ｈａｎｄｏｖｅｒ  Ｗａｉｔｉｎｇ  Ｍｅｓｓａｇｅ）を転送できる［Ｓ２０２０］。ここで、前記第２電子機器２００が前記ハンドオーバ待機メッセージを受信した場合、前記第２電子機器２００は、予め決まった時間の間に、ハンドオーバ提供メッセージの受信を待つことができる。
【０２１３】
また、前記第１電子機器１００は、前記第３電子機器３００に第２ハンドオーバ要請メッセージを転送し［Ｓ２０３０］、前記第３電子機器からハンドオーバ選択メッセージを受信することができる［Ｓ２０４０］。
【０２１４】
これにより、前記第１電子機器１００は、前記第２電子機器２００に前記ハンドオーバ提供メッセージを転送し［Ｓ２０５０］、前記第２電子機器２００からハンドオーバ応答メッセージを受信することができる［Ｓ２０６０］。前記ハンドオーバ応答メッセージは、図１１のステップＳ７５０にて説明したように、代替通信手段による通信リンクの接続を肯定するかどうか及びどの電子機器が通信リンクの接続を開始するかに関する情報を含むことができる。
【０２１５】
図２７は、本発明の第１３の実施の形態に係るハンドオーバ媒介プロトコルを説明するための図である。
【０２１６】
図２７の（ａ）に示すように、前記第１電子機器１００が前記第２電子機器２００及び前記第３電子機器３００のそれぞれに対して１回ずつタップ（ｔａｐ）、タギング（ｔａｇｇｉｎｇ）またはタッチ（ｔｏｕｃｈ）することによって、代替通信手段による通信リンクが開設されることができる。これを２−タップ、２−タギングまたは２−タッチと呼ぶことができる。
【０２１７】
また、図２７の（ｂ）、図２８の（ａ）及び（ｂ）に示すように、前記第１電子機器１００が前記第２電子機器２００及び前記第３電子機器３００のそれぞれに対して１回ずつタップ（ｔａｐ）、タギング（ｔａｇｇｉｎｇ）またはタッチ（ｔｏｕｃｈ）した後、また前記第２電子機器２００または前記第３電子機器３００に対して通信リンクの開始を要請するためのタップ（ｔａｐ）、タギング（ｔａｇｇｉｎｇ）またはタッチ（ｔｏｕｃｈ）することによって、代替通信手段による通信リンクが開設されることができる。ここで、図２７の（ｂ）に示すように、前記第１電子機器１００が前記第２電子機器２００に対して通信リンクの開始を要請する場合、前記第１電子機器１００が前記第３電子機器３００のＮＦＣ通信範囲から前記第２電子機器２００のＮＦＣ通信範囲に再度移動して、タップ（ｔａｐ）、タギング（ｔａｇｇｉｎｇ）またはタッチ（ｔｏｕｃｈ）するので、３−タップ、３−タギングまたは３−タッチと呼ぶことができる。しかし、図２８の（ａ）に示すように、前記第１電子機器１００が前記第３電子機器３００に対して通信リンクの開始を要請する場合には、前記第１電子機器１００が前記第３電子機器３００に対して再度タップ（ｔａｐ）、タギング（ｔａｇｇｉｎｇ）またはタッチ（ｔｏｕｃｈ）すると、３−タップ、３−タギングまたは３−タッチと呼ぶことができ、それとも、図２８の（ｂ）に示すように、２−タップ、２−タギングまたは２−タッチと呼ぶことができる。
【０２１８】
今までは、前記図９ないし２８を参照して、前記第１電子機器１００ないし前記第３電子機器３００のすべてがハンドオーバ媒介プロトコルを支援する場合を仮定して、ハンドオーバ媒介プロトコルの多様な実施の形態について説明した。
【０２１９】
以下、説明の便宜のために前記第１電子機器１００は、ハンドオーバプロトコルを支援し、前記第２電子機器２００または第３電子機器３００は、ハンドオーバ媒介プロトコルを支援しない場合について説明する。
【０２２０】
例えば、前記第２電子機器２００がハンドオーバ媒介プロトコルを支援しないデバイスである場合、前記第２電子機器２００は、前記第１電子機器から受信したハンドオーバ要請メッセージ（Ｈａｎｄｏｖｅｒ  Ｒｅｑｕｅｓｔ  Ｍｅｓｓａｇｅ）、ハンドオーバ獲得メッセージ（Ｈａｎｄｏｖｅｒ  Ｇｅｔ  Ｍｅｓｓａｇｅ）、ハンドオーバ媒介メッセージ（Ｈａｎｄｏｖｅｒ  ｍｅｄｉａｔｅ  Ｍｅｓｓａｇｅ）または媒介獲得要請メッセージ（Ｍｅｄｉａｔｅ  Ｇｅｔ  Ｒｅｑｕｅｓｔ  Ｍｅｓｓａｇｅ）に対する応答として、代替通信手段に関連した情報を含まないハンドオーバ選択メッセージ（Ｈａｎｄｏｖｅｒ  Ｓｅｌｅｃｔ  Ｍｅｓｓａｇｅ）を転送できる。このとき、前記第１電子機器１００は、前記第２電子機器２００においてハンドオーバ媒介プロトコルを支援しないのが分かり、図１０の（ｆ）に示すように、出力部１５０を介して前記第２電子機器がハンドオーバ媒介プロトコルを支援しないのを表すメッセージを出力できる。一方、前記ハンドオーバ要請メッセージは、ハンドオーバ媒介プロトコルを開始するメッセージであることを表す識別情報を含むことができ、具体的なメッセージの構造は後述する。
【０２２１】
したがって、前記第１電子機器１００は、前記第２電子機器２００または前記第３電子機器３００から、前記第２電子機器２００または前記第３電子機器３００が支援する代替通信手段に関連した情報が含まれないハンドオーバ選択メッセージを受信した場合、前記第１電子機器１００の出力部１５０を介して、前記第２電子機器２００または前記第３電子機器３００は、ハンドオーバ媒介プロトコルを支援する機器でないことを表すメッセージまたはハンドオーバ媒介プロトコルを行うことができないのを表すメッセージを出力できる。これにより、前記第１電子機器１００は、他の電子機器のＮＦＣ通信範囲内に移動して、前記他の電子機器に対してハンドオーバ媒介プロトコルの実行を命令できる。
【０２２２】
以下、図面を参照して本発明の実施の形態にかかるデータ構造を詳細に説明する。以下において説明するデータの構造は、一例に過ぎず、本発明の技術的思想は、特定データ構造に限定されるものではない。
【０２２３】
図２９は、本発明の実施の形態にかかるハンドオーバプロトコル及びハンドオーバ媒介プロトコルメッセージの一般的な構造を示すための図である。先に説明したように、前記ハンドオーバプロセス及びハンドオーバ媒介プロセスに用いられるメッセージは、広くハンドオーバ要請メッセージ及びハンドオーバ選択メッセージから構成されることができる。
【０２２４】
また、図９ないし図２８では、ハンドオーバ媒介プロトコルの多様な実施の形態を説明するために、ハンドオーバ要請メッセージ（Ｈａｎｄｏｖｅｒ  Ｒｅｑｕｅｓｔ  Ｍｅｓｓａｇｅ）及びハンドオーバ選択メッセージ（Ｈａｎｄｏｖｅｒ  Ｓｅｌｅｃｔ  Ｍｅｓｓａｇｅ）という用語の他に、対応できる多様な用語を使用したが、すべて前記ハンドオーバ要請メッセージ及びハンドオーバ選択メッセージと同一または類似の概念であって、メッセージの構造もまた同一でありうる。
【０２２５】
したがって、以下では、説明の便宜のためにハンドオーバ要請メッセージ及びハンドオーバ選択メッセージを仮定して説明する。
【０２２６】
図２９の上端に示すように、ハンドオーバ要請メッセージは、ハンドオーバ要請レコード（ｒｅｃｏｒｄ）（以下、Ｈｒ  ｒｅｃｏｒｄとする）と一つ以上のＮＤＥＦ（ＮＦＣ  Ｄａｔａ  Ｅｘｃｈａｎｇｅ  Ｆｏｒｍａｔ）レコードを含むことができる。また、ハンドオーバ選択メッセージ（以下、Ｈｓ  ｒｅｃｏｒｄとする）は、ハンドオーバ選択レコードと一つ以上のＮＤＥＦレコードを含むことができる。
【０２２７】
前記ＮＤＥＦレコードは、代替通信手段に対する具体的な情報を含むことができる。
【０２２８】
さらに具体的に説明すると、前記ハンドオーバ要請メッセージに含まれるＮＤＥＦレコードが含む情報の類型は多様でありうる。
【０２２９】
例えば、ＮＤＥＦレコードが含む情報は、代替通信リンクを識別するための情報を含むことができる。すなわち、前記ハンドオーバ通信手段レコードは、前記第２電子機器２００または前記第３電子機器３００が支援する代替通信手段が何んであるかに対する情報を、前記第１電子機器１００ないし前記第３電子機器３００に提供できる。本文書では、代替通信リンクを識別するための情報を含むＮＤＥＦレコードをハンドオーバ通信手段レコード（ｈａｎｄｏｖｅｒ  ｃａｒｒｉｅｒ  ｒｅｃｏｒｄ）と呼ぶことにする。
【０２３０】
一方、前記ＮＤＥＦレコードが含む情報は、代替通信リンクを形成するための設定情報を含むことができる。本文書では、代替通信リンクを形成するために必要な設定情報、例えば、リンク形成のために必要な暗号、アドレスなどを含むＮＤＥＦレコードを通信手段設定レコードと名づけることにする。
【０２３１】
このとき、前記通信手段設定レコードも、前記代替通信手段が何んであるかを識別する情報をさらに含むことができる。
【０２３２】
前記ハンドオーバ通信手段レコードと前記通信手段設定レコードについての具体的な説明は後述する。
【０２３３】
図２９の中断を参照すれば、本発明の一実施の形態にかかるハンドオーバ要請／選択レコードは、ヘッダ（Ｈｄｒ）、バージョンフィールド（ｖｅｒｓｉｏｎ  ｆｉｅｌｄ）、一つ以上の代替通信手段レコード（以下、ａｃ  ｒｅｃｏｒｄ）のうち、少なくとも一つを含むことができ、前記代替通信手段レコードは、前記ハンドオーバ要請／選択メッセージに従って要請／選択される代替通信手段を定義することができる。また、前記ハンドオーバ要請／選択レコードは、これより少ないかまたは多い情報フィールドを含むことができる。
【０２３４】
図２９の下端に示すように、本発明の一実施の形態にかかるａｃレコードは、ヘッダ（Ｈｄｒ）、通信手段電力状態（ｃａｒｒｉｅｒ  ｐｏｗｅｒ  ｓｔａｔｅ）、通信手段データ指示子（Ｃａｒｒｉｅｒ  Ｄａｔａ  Ｒｅｆｅｒｅｎｃｅ）、補助データ指示子の数（Ａｕｘ  Ｄａｔａ  Ｒｅｆ  Ｃｏｕｎｔ）、一つ以上の補助データ指示子（Ａｕｘｉｌｉａｒｙ  Ｄａｔａ  Ｒｅｆｅｒｅｎｃｅ）に対する情報フィールドのうち、少なくとも一つを含むことができる。
【０２３５】
前記通信手段データ指示子と前記補助データ指示子とは、前記図９の上端に示す相応するＮＤＥＦレコードを指示できる。
【０２３６】
以下、前記図２９を参照して言及した各情報について、さらに具体的に説明する。
【０２３７】
図３０ないし図３２は、本発明の実施の形態にかかるハンドオーバ要請メッセージの一例を示す。
【０２３８】
図３０に示すように、前記ハンドオーバ要請メッセージは、第１電子機器１００が第２電子機器２００または第３電子機器３００に対して、前記第３電子機器３００または前記第２電子機器２００が支援する代替通信手段に関連した情報を伝達するために使用されることができる。ここで、先に図９ないし２３を参照して説明したハンドオーバ提供メッセージ（Ｈａｎｄｏｖｅｒ  Ｐｕｔ  Ｍｅｓｓａｇｅ）、媒介提供要請メッセージ（Ｍｅｄｉａｔｅ  Ｐｕｔ  Ｒｅｑｕｅｓｔ  Ｍｅｓｓａｇｅ）、ハンドオーバ媒介メッセージ（Ｈａｎｄｏｖｅｒ  ｍｅｄｉａｔｅ  Ｍｅｓｓａｇｅ）及びハンドオーバ開始要請メッセージ（Ｈａｎｄｏｖｅｒ  Ｉｎｉｔｉａｔｅ  Ｒｅｑｕｅｓｔ  Ｍｅｓｓａｇｅ）は、前記ハンドオーバ要請メッセージに対応でき、同じメッセージの構造を有することができる。
【０２３９】
この場合、前記ハンドオーバ要請メッセージは、図３０に示すように、ハンドオーバ要請レコード及び一つ以上のＮＤＥＦレコードを含むことができる。例えば、前記ハンドオーバ要請メッセージは、ハンドオーバ要請レコードから始めてＮＤＥＦレコードで終了できる。さらに具体的に説明すると、前記ハンドオーバ要請メッセージは、メッセージ開始（ＭＢ）に設定されたフラグを含むハンドオーバ要請レコードから始め、メッセージ終了（ＭＥ）に設定されたフラグを有するＮＤＥＦレコードで終了できる。前記ハンドオーバ要請メッセージは、少なくとも一つの代替キャリアを含まなければならないので、前記ＭＢ、ＭＥフラグがすべて設定されたレコードを有することができない。前記ハンドオーバ要請メッセージは、少なくとも一つの代替通信手段を備えなければならないので、前記ＭＢ、ＭＥフラグがすべて設定されたレコードを有することができない。前記ＮＤＥＦレコードは、代替通信手段の特性によってハンドオーバ通信手段レコード及び通信手段設定レコードのうちの何れか一つになることができる。また、前記ＮＤＥＦレコードは、補助データから構成されることもできる。ＮＤＥＦレコードについての具体的な説明は後述する。
【０２４０】
また、図３１に示すように、前記ハンドオーバ要請メッセージは、前記第１電子機器１００が前記第２電子機器２００または前記第３電子機器３００から前記第２電子機器２００または前記第３電子機器３００が支援する代替通信手段に関連した情報を獲得するために使用されることができる。ここで、先に図９ないし２３を参照して説明したハンドオーバ獲得メッセージ（Ｈａｎｄｏｖｅｒ  Ｇｅｔ  Ｍｅｓｓａｇｅ）、媒介獲得要請メッセージ（Ｍｅｄｉａｔｅ  Ｇｅｔ  Ｒｅｑｕｅｓｔ  Ｍｅｓｓａｇｅ）及びハンドオーバ媒介メッセージ（Ｈａｎｄｏｖｅｒ  ｍｅｄｉａｔｅ  Ｍｅｓｓａｇｅ）は、前記ハンドオーバ要請メッセージに対応でき、同じメッセージの構造を有することができる。
【０２４１】
この場合、前記ハンドオーバ要請メッセージは、図３１に示すように、代替通信手段に関連した情報を含む前記ＮＤＥＦレコードを含まずに、代替通信手段を識別するための情報を含むハンドオーバ通信手段レコード（Ｈａｎｄｏｖｅｒ  Ｃａｒｒｉｅｒ  ｒｅｃｏｒｄ、Ｈｃ）を含むことができる。前記ハンドオーバ通信手段レコードには、ヘッダ（Ｈｄｒ）、通信手段タイプフォーマット（Ｃａｒｒｉｅｒ  Ｔｙｐｅ  Ｆｏｒｍａｔ、ＣＴＦ）、通信手段タイプ長（Ｃａｒｒｉｅｒ  Ｔｙｐｅ  Ｌｅｎ．）及び通信手段タイプ（Ｃａｒｒｉｅｒ  Ｔｙｐｅ）が含まれることができる。ここで、前記ハンドオーバ要請メッセージがハンドオーバ媒介プロトコルを行うためのものである場合、前記通信手段タイプは、Ｈｍ（Ｈａｎｄｏｖｅｒ  ｍｅｄｉａｔｏｒ）でありうる。すなわち、前記通信手段タイプは、ハンドオーバ媒介プロトコルの開始を表す識別情報としての役割を果たすことができる。前記Ｈｍは、任意的に用いられる呼称であるから、当業者の好みによって変形して使用されることができる。以下、説明の便宜のためにＨｍと表示することにする。
【０２４２】
また、図３２に示すように、前記ハンドオーバ要請メッセージは、ハンドオーバ媒介プロトコル内で、他の電子機器において支援する代替通信手段に関連した情報を伝達するために使用されることができる。ここで、図１２を参照して説明した媒介提供要請メッセージ（Ｍｅｄｉａｔｅ  Ｐｕｔ  Ｒｅｑｕｅｓｔ  Ｍｅｓｓａｇｅ）及び図１４、１５を参照して説明したハンドオーバ媒介メッセージ（Ｈａｎｄｏｖｅｒ  ｍｅｄｉａｔｅ  Ｍｅｓｓａｇｅ）は、前記ハンドオーバ要請メッセージに対応でき、同じ構造を有することができる。
【０２４３】
この場合、前記ハンドオーバ要請メッセージは、通信手段タイプＨｍを含むハンドオーバ通信手段レコード及び代替通信手段に関連した情報を含むＮＤＥＦレコードの両方を含むことができる。これにより、前記媒介提供要請メッセージ（Ｍｅｄｉａｔｅ  Ｐｕｔ  Ｒｅｑｕｅｓｔ  Ｍｅｓｓａｇｅ）及び前記ハンドオーバ媒介メッセージ（Ｈａｎｄｏｖｅｒ  ｍｅｄｉａｔｅ  Ｍｅｓｓａｇｅ）がハンドオーバ媒介プロトコルのためのものであることを表すことができる。
【０２４４】
図３３は、本発明の一実施の形態にかかるハンドオーバ選択メッセージの一例を示す。
【０２４５】
前記ハンドオーバ選択メッセージは、ハンドオーバ選択機器がハンドオーバ要請機器から受信したハンドオーバ要請メッセージに含まれた代替通信手段の中で、前記ハンドオーバ選択機器が支援する代替通信手段に関連した情報を前記ハンドオーバ要請機器に提供するために使用されることができる。
［２９８］
また、前記ハンドオーバ選択メッセージは、ハンドオーバ媒介を行う他の電子機器が支援する代替通信手段に関連した情報をハンドオーバ媒介機器（Ｈａｎｄｏｖｅｒ  ｍｅｄｉａｔｏｒ）に提供するために使用されることができる。
【０２４６】
図３３の上端を参照すれば、前記ハンドオーバ選択メッセージの構造は、図２８を参照して説明したハンドオーバ要請メッセージの構造と同一でありうる。
【０２４７】
また、図３３の下端を参照すれば、前記ハンドオーバ選択メッセージは、メッセージ開始（ＭＢ）、メッセージ終了（ＭＥ）の両方が設定された単一レコードを含むことができる。すなわち、この場合は、前記ハンドオーバ要請者と支援する代替通信手段の中で前記ハンドオーバ選択者が支援する代替通信手段がない状況でありうる。
【０２４８】
図９ないし２３を参照して説明した、応答メッセージ（Ｒｅｓｐｏｎｓｅ  Ｍｅｓｓａｇｅ）、ハンドオーバ開始応答メッセージ（Ｈａｎｄｏｖｅｒ  Ｉｎｉｔｉａｔｅ  Ｒｅｓｐｏｎｓｅ  Ｍｅｓｓａｇｅ）、選択メッセージ（Ｓｅｌｅｃｔ  Ｍｅｓｓａｇｅ）などは、前記ハンドオーバ選択メッセージに対応でき、同じメッセージの構造を有することができる。また、ハンドオーバ応答肯定メッセージ（Ｈａｎｄｏｖｅｒ  ＡＣＫ  Ｍｅｓｓａｇｅ）の場合、通信リンクの接続を肯定する応答メッセージであって、どの機器が通信リンクの接続を開始するかに関する情報を含むことができるので、前記図３１の上端に示すように、ハンドオーバ応答肯定レコード（Ｈａｎｄｏｖｅｒ  ＡＣＫ  Ｒｅｃｏｒｄ）及びＮＤＥＦレコードの両方を含むことができる。また、ハンドオーバ不正応答メッセージ（Ｈａｎｄｏｖｅｒ  ＮＡＣＫ  Ｍｅｓｓａｇｅ）の場合、通信リンクの接続を否定する応答メッセージであるから、前記図３１の下端に示すように、ＮＤＥＦレコードは含まずに、ハンドオーバ応答不正レコード（Ｈａｎｄｏｖｅｒ  ＮＡＣＫ  Ｒｅｃｏｒｄ）のみを含むことができる。
【０２４９】
以下、前記ハンドオーバ要請レコードをさらに詳細に説明する。
【０２５０】
図３４は、本発明の一実施の形態にかかるハンドオーバ要請レコードの一例を示す。
【０２５１】
前記ハンドオーバ要請レコードは、前記ハンドオーバ要請機器が前記ハンドオーバ選択機器との通信のために使用することができる代替通信手段の目録を含むことができる。
【０２５２】
前記ハンドオーバ要請レコードは、少なくとも一つ以上の代替レコードを指示できる。
【０２５３】
図３４に示すように、前記ハンドオーバ要請レコードは、メイジャーバージョン（ｍａｊｏｒ  ｖｅｒｓｉｏｎ）、マイナーバージョン（ｍｉｎｏｒ  ｖｅｒｓｉｏｎ）、衝突回避レコード（ｃｏｌｌｉｓｉｏｎ  ｒｅｓｏｌｕｔｉｏｎ  ｒｅｃｏｒｄ）、代替通信手段レコード（Ａｌｔｅｒｎａｔｉｖｅ  Ｃａｒｒｉｅｒ  Ｒｅｃｏｒｄ）１ないしｎに対した情報のうち、少なくとも一つを含むことができる。
【０２５４】
前記各々の代替通信手段レコードは、前記ハンドオーバ選択機器と前記ハンドオーバ要請機器との間の通信のために、前記ハンドオーバ要請機器が支援する代替通信手段を特定（ｓｐｅｃｉｆｙ）できる。前記各々の代替通信手段レコードが特定する代替通信手段に対する情報は、前記ハンドオーバ要請メッセージに含まれたＮＤＥＦレコードに含まれることができる。
【０２５５】
以下、前記ハンドオーバ選択レコードをさらに詳細に説明する。
【０２５６】
図３５は、本発明の実施の形態にかかるハンドオーバ選択レコードの一例を示す。
【０２５７】
前記ハンドオーバ選択レコードは、前記第２電子機器２００または前記第３電子機器３００が前記第１電子機器１００から受信したハンドオーバ要請メッセージに対する応答メッセージとして、前記第２電子機器２００または前記第３電子機器３００が支援する代替通信手段に関連した情報を含むことができる。
【０２５８】
図３５に示すように、前記ハンドオーバ選択レコードは、メイジャーバージョン、マイナーバージョン、代替通信手段レコード１ないしｎに対した情報、エラーに対する情報のうち、少なくとも一つを含むことができる。
【０２５９】
前記ハンドオーバ選択レコードに含まれた代替通信手段コードは、前記第２電子機器２００及び／または前記第３電子機器３００が共通的に支援する代替通信手段に関連した情報を含むこともできる。
【０２６０】
また、前記ハンドオーバ選択レコードに含まれた代替通信手段の順序は、前記ハンドオーバ選択機器が好む代替通信手段の優先順位を表すことができる。例えば、前記代替通信手段レコード１に指示された代替通信手段は、前記代替通信手段レコードｎに指示された代替通信手段より高い優先順位を有することができる。
【０２６１】
以下、前記ＮＤＥＦレコードの一例であるハンドオーバ通信手段レコードについて詳細に説明する。
【０２６２】
図３６は、本発明の一実施の形態にかかるハンドオーバ通信手段レコードの一例を示す。
【０２６３】
ハンドオーバ通信手段レコードは、代替通信手段を識別するための情報を含むことができる。
【０２６４】
図３６に示すように、ハンドオーバ通信手段レコードは、通信手段タイプフォーマット（Ｃａｒｒｉｅｒ  Ｔｙｐｅ  Ｆｏｒｍａｔ、以下、ＣＴＦとする）、通信手段タイプ長（Ｃａｒｒｉｅｒ  Ｔｙｐｅ  Ｌｅｎｇｔｈ）、通信手段タイプ（Ｃａｒｒｉｅｒ  Ｔｙｐｅ）、通信手段データ（ｃａｒｒｉｅｒ  ｄａｔａ）のうち、少なくとも一つを含むことができる。
【０２６５】
前記通信手段タイプフォーマットは、後述する通信手段タイプに記載された値の構造を指示する機能を提供できる。
【０２６６】
例えば、前記通信手段タイプフォーマットは、ＮＦＣ  Ｆｏｒｕｍ  ｗｅｌｌ−ｋｎｏｗ類型、ＲＦＣ  ２０４６において規定されたメディア−タイプ、ＲＦＣ  ３９８６に規定された絶対ＵＲＩ、ＮＦＣ外部タイプのうち、少なくとも一つに相応できる。
【０２６７】
前記通信手段タイプ長は、後述する通信手段タイプの長さのことを言える。
【０２６８】
前記通信手段タイプは、代替通信手段の唯一の識別子（ｕｎｉｑｕｅ  ｉｄｅｎｔｉｆｉｃａｔｉｏｎ）を提供できる。前記キャリアタイプの値は、前記通信手段タイプフォーマットに応じる構造、エンコーディング、フォーマットに従わなければならない。
【０２６９】
前記通信手段タイプフォーマット、通信手段タイプ長、前記通信手段タイプのうち、少なくとも一つ、さらに具体的に説明すると、前記通信手段タイプに基づいて前記第１電子機器１００が支援する代替通信手段が何であるかを前記第２電子機器２００または前記第３電子機器３００が識別できる。
【０２７０】
前記通信手段データは、代替通信手段に対する付加的な情報を含むことができる。
【０２７１】
一方、前記ハンドオーバ通信手段レコードは、前記ハンドオーバ要請メッセージのＮＤＥＦレコードとして前記ハンドオーバ要請メッセージに含まれることができる。
【０２７２】
以下、前記代替通信手段レコード（ａｃＲｅｃｏｒｄ）について詳細に説明する。
【０２７３】
図３７は、本発明の一実施の形態にかかる代替通信手段レコードの一例を示す。
【０２７４】
前記代替通信手段レコードは、前記ハンドオーバ要請レコードまたは前記ハンドオーバ選択レコードに含まれることができる。
【０２７５】
図３７に示すように、前記代替通信手段レコードは、通信手段電力状態（ＣＡＲＲＩＥＲ  ＰＯＷＥＲ  ＳＴＡＴＥ、すなわちＣＰＳ）、通信手段データ指示子（ＣＡＲＲＩＥＲ＿ＤＡＴＡ＿ＲＥＦＥＲＥＮＣＥ）、補助データ指示子の数（ＡＵＸＩＬＩＡＲＹ＿ＤＡＴＡ＿ＲＥＦＥＲＥＮＣＥ＿ＣＯＵＮＴ）、補助データ指示子１ないしＮ（ＡＵＸＩＬＩＡＲＹ＿ＤＡＴＡ＿ＲＥＦＥＲＥＮＣＥ１ＴＯＮ）のうち、少なくとも一つを含むことができる。
【０２７６】
前記通信手段電力状態は、代替通信手段の電力状態を示す。前記通信手段電力状態は、例えば、非アクティブ（ｉｎａｃｔｉｖｅ）、アクティブ（ａｃｔｉｖｅ）、アクティブ中（ａｃｔｉｖａｔｉｎｇ）、分からない（ｕｎｋｎｏｗｎ）のうち、少なくとも一つでありうる。
【０２７７】
例えば、代替通信手段の現在電源状態がアクティブ（ａｃｔｉｖｅ）であり、前記通信手段構成データ（ｃａｒｒｉｅｒ  ｃｏｎｆｉｇｕｒａｔｉｏｎ  ｄａｔａ）が提供された場合、前記代替通信手段は、直ちに利用可能であることを表すことができる。
【０２７８】
また、例えば、前記代替通信手段の電力状態がアクティブ中（ａｃｔｉｖａｔｉｎｇ）の場合、前記代替通信手段を介した通信リンクの接続が試みられるまで待たなければならないことを表すことができる。また、前記第１電子機器１００が電力状態のアクティブ中である代替通信手段を選択した場合、前記第１電子機器１００は、前記第２電子機器２００または前記第３電子機器３００からハンドオーバ応答メッセージを待つことができる。また、前記第２電子機器２００または前記第３電子機器３００が前記代替通信手段の電力状態がアクティブ中であることを認めた場合、前記第２電子機器２００または前記第３電子機器３００は、ハンドオーバ応答メッセージを転送した後、直ちにアクティブプロセスを始めることができる。
【０２７９】
また、例えば、前記第１電子機器１００が一つ以上の代替通信手段に関連した情報を含む前記ハンドオーバ要請メッセージを転送した場合、前記第２電子機器２００または前記第３電子機器３００は、前記一つ以上の代替通信手段の電力状態が非アクティブ（ｉｎａｃｔｉｖｅ）であることを宣言するハンドオーバ応答メッセージを転送できる。前記第１電子機器１００は、次のハンドオーバ要請メッセージにおいて一つの代替通信手段を特定でき、前記第２電子機器２００または前記第３電子機器３００は、前記ハンドオーバ要請メッセージに対する応答として前記一つの代替通信手段がアクティブ（ａｃｔｉｖｅ）またはアクティブ中（ａｃｔｉｖａｔｉｎｇ）であることを宣言できる。
【０２８０】
また、例えば、前記第２電子機器２００または前記第３電子機器３００がタグ（ｔａｇ）である場合、前記第２電子機器２００または前記第３電子機器３００は、多数の非アクティブ（ｉｎａｃｔｉｖｅ）である代替通信手段を提供できる。これは、ユーザが前記通信手段回路をアクティブにしなければならないことを意味できる。したがって、複数の代替通信手段の中で特定通信手段が選択されるまで、代替通信手段の電源を非アクティブにすることによって、電力を低減できるという効果を提供できる。
【０２８１】
一方、前記通信手段データ指示は、前記図２７の上端に示すＮＤＥＦレコードを指示する機能を提供できる。先に説明したようにＮＤＥＦレコードは、ハンドオーバ通信手段レコードまたは通信手段設定レコードでありうる。
【０２８２】
前記補助データ指示子の数は、つながる補助データ指示子の数を意味できる。
【０２８３】
前記補助データ指示子は、代替通信手段に対する付加的な情報を提供するＮＤＥＦレコードを指示できる。
【０２８４】
ここに説明される多様な実施の形態は、例えば、ソフトウェア、ハードウェアまたはこれらの組合わせられたことを利用して、コンピュータまたはこれと類似の装置で読むことができる記録媒体内で具現化されることができる。
【０２８５】
ハードウェア的な具現によれば、ここに説明される実施の形態は、ＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ、プロセッサ（ｐｒｏｃｅｓｓｏｒｓ）、制御機（ｃｏｎｔｒｏｌｌｅｒｓ）、マイクロコントローラ（ｍｉｃｒｏｃｏｎｔｒｏｌｌｅｒｓ）、マイクロプロセッサ（ｍｉｃｒｏｐｒｏｃｅｓｓｏｒｓ）、機能遂行のための電気的なユニットのうち、少なくとも一つを利用して具現化されることができる。一部の場合に、そういう実施の形態が制御部１８０により具現化されることができる。
【０２８６】
ソフトウェア的な具現によれば、手順や機能のような実施の形態は、少なくとも一つの機能または作動を行わせる別個のソフトウェアモジュールと共に具現化されることができる。ソフトウェアコードは、適切なプログラム言語で書かれたソフトウェアアプリケーションにより具現化されることができる。また、ソフトウェアコードは、メモリ部１６０に格納され、制御部１８０により実行されることができる。
【０２８７】
上述した本発明に係る電子機器の制御方法において、各実施の形態を構成するステップは必須のものではなく、したがって各実施の形態は、上述したステップを選択的に含むことができる。また、各実施の形態を構成する各ステップは、必ず説明された順序に従って行われなければならにものではなく、後述のステップが前述のステップより先に行われても良い。
【０２８８】
また、本発明に係る電子機器の制御方法は、これを行うコードまたはプログラムの形態により具現化されることができ、このようなコードまたはプログラムは、コンピュータ読み取り可能な記録媒体に格納されることができる。
【０２８９】
以上で説明した本発明は、本発明が属する技術分野における通常の知識を有した者にとって本発明の技術的思想から逸脱しない範囲内で様々な置換、変形及び変更が可能であるので、上述した実施の形態及び添付された図面により限定されるものでない。また、本文書において説明された実施の形態は、限定適用されうることではなく、多様な変形がなされうるように各実施の形態の全てまたは一部が選択的に組合わせられて構成されることもできる。進んで、各実施の形態を構成するステップは、他の実施の形態を構成するステップと個別的にまたは組合わせられて利用されることができる。
【産業上の利用可能性】
【０２９０】
本発明によれば、ハンドオーバ媒介機器が二つ以上の電子機器間の接続情報を相手に伝達することによって、より効果的に２つ以上の電子機器間のコネクションを形成できる電子機器及び電子機器の動作方法を提供できる。
【図１】
0005944992.tif 000002
【図２】
0005944992.tif 000003
【図３】
0005944992.tif 000004
【図４】
0005944992.tif 000005
【図５】
0005944992.tif 000006
【図６】
0005944992.tif 000007
【図７】
0005944992.tif 000008
【図８】
0005944992.tif 000009
【図９】
0005944992.tif 000010
【図１０】
0005944992.tif 000011
【図１１】
0005944992.tif 000012
【図１２】
0005944992.tif 000013
【図１３】
0005944992.tif 000014
【図１４】
0005944992.tif 000015
【図１５】
0005944992.tif 000016
【図１６】
0005944992.tif 000017
【図１７】
0005944992.tif 000018
【図１８】
0005944992.tif 000019
【図１９】
0005944992.tif 000020
【図２０】
0005944992.tif 000021
【図２１】
0005944992.tif 000022
【図２２】
0005944992.tif 000023
【図２３】
0005944992.tif 000024
【図２４】
0005944992.tif 000025
【図２５】
0005944992.tif 000026
【図２６】
0005944992.tif 000027
【図２７】
0005944992.tif 000028
【図２８】
0005944992.tif 000029
【図２９】
0005944992.tif 000030
【図３０】
0005944992.tif 000031
【図３１】
0005944992.tif 000032
【図３２】
0005944992.tif 000033
【図３３】
0005944992.tif 000034
【図３４】
0005944992.tif 000035
【図３５】
0005944992.tif 000036
【図３６】
0005944992.tif 000037
【図３７】
0005944992.tif 000038